(57)【要約】  ワイヤレス通信システムにおいて順方向リンクブランキングおよび／または電力ブースティングを調整するための方法、システム、およびデバイスを提供する。いくつかの実施形態は２つ以上の帯域幅システムを含む。ある帯域幅システムの帯域幅が別の帯域幅システムの帯域幅とオーバーラップすることがある。このオーバーラップが干渉を生じさせることがある。順方向リンクブランキングおよび／または電力ブースティングを調整すると、この干渉の影響を軽減する助けになり得る。いくつかの実施形態はフレキシブル帯域幅システムおよび／または通常帯域幅システムを利用する。フレキシブル帯域幅システムは、通常波形をはめ込めるほど大きくない場合があるスペクトルの部分を利用することができる。ただし、いくつかの実施形態は、通常波形よりも広い帯域幅を利用するフレキシブル波形を利用してもよい。【選択図】図７
2014533064.tif 000002
【特許請求の範囲】
【請求項１】
ワイヤレス通信システム内の干渉を低減させる方法であって、
前記ワイヤレス通信システムの第２のキャリア帯域幅と少なくとも部分的にオーバーラップする第１のキャリア帯域幅を識別することと、
前記第２のキャリア帯域幅にわたる同時送信の間に前記第１のキャリア帯域幅にわたる順方向リンク上の送信ブランキングを調整することと
を備える方法。
【請求項２】
前記第１のキャリア帯域幅にわたる前記調整された送信ブランキングの間に前記第２のキャリア帯域幅にわたる送信電力を増大させることをさらに備える、
請求項１に記載の方法。
【請求項３】
前記第１のキャリア帯域幅にわたる前記順方向リンク上の前記送信ブランキングを調整することは、
前記第２のキャリア帯域幅にわたる制御送信のタイミングを決定することと、前記第２のキャリア帯域幅にわたる前記制御チャネル送信の前記決定されたタイミングに基づいて前記送信ブランキングを調整することと
をさらに備える、請求項１に記載の方法。
【請求項４】
前記第１のキャリア帯域幅にわたる前記順方向リンク上の前記送信ブランキングを調整することは、
前記第２のキャリア帯域幅にわたるデータ送信を決定することを備え、前記第１のキャリア帯域幅にわたる前記順方向リンク上の前記送信ブランキングを調整することは、前記第２のキャリア帯域幅にわたる前記データ送信の間に行われる、
請求項１に記載の方法。
【請求項５】
前記第２のキャリア帯域幅にわたる前記同時送信の間の前記第１のキャリア帯域幅にわたる前記順方向リンク上の前記調整された送信ブランキングを、少なくとも時刻に基づいて変更することをさらに備える、
請求項１に記載の方法。
【請求項６】
前記第２のキャリア帯域幅にわたる前記同時送信の間の前記第１のキャリア帯域幅にわたる前記順方向リンク上の前記調整された送信ブランキングを、少なくとも前記順方向リンクの負荷に基づいて変更することをさらに備える、
請求項１に記載の方法。
【請求項７】
少なくとも前記第１のキャリア帯域幅または前記第２のキャリア帯域幅は、フレキシブルキャリア帯域幅である、
請求項１に記載の方法。
【請求項８】
前記第１のキャリア帯域幅および前記第２のキャリア帯域幅は、通常キャリア帯域幅である、
請求項１に記載の方法。
【請求項９】
前記第１のキャリア帯域幅は、前記第２のキャリア帯域幅と全体的にオーバーラップする、
請求項１に記載の方法。
【請求項１０】
前記第１のキャリア帯域幅にわたる前記調整された送信ブランキングと前記第２のキャリア帯域幅にわたる前記同時送信はコロケーションにおいて行われる、
請求項１に記載の方法。
【請求項１１】
前記第１のキャリア帯域幅にわたる前記調整された送信ブランキングと前記第２のキャリア帯域幅にわたる前記同時送信はコロケートされない、
請求項１に記載の方法。
【請求項１２】
前記第１のキャリア帯域幅にわたる前記調整された送信ブランキングは事前スケジューリングされた時間に行われる、
請求項１に記載の方法。
【請求項１３】
前記第１のキャリア帯域幅にわたる前記調整された送信ブランキングと前記第２のキャリア帯域幅にわたる前記同時送信は、少なくとも絶対時刻または既知の時間オフセットに対して同期される、
請求項１に記載の方法。
【請求項１４】
少なくとも前記第１のキャリア帯域幅または前記第２のキャリア帯域幅は、認可スペクトルを利用する、
請求項１に記載の方法。
【請求項１５】
前記第１のキャリア帯域幅と前記第２のキャリア帯域幅は、異なる無線アクセス技法（ＲＡＴ）を利用する、
請求項１に記載の方法。
【請求項１６】
前記第２のキャリア帯域幅にわたる前記同時送信の間に前記第１のキャリア帯域幅にわたる前記順方向リンク上の前記送信ブランキングを調整することは、
前記第２のキャリア帯域幅にわたる前記同時送信の間に前記第１のキャリア帯域幅にわたる前記順方向リンク上のハード送信ブランキングを調整することを備える、
請求項１に記載の方法。
【請求項１７】
前記調整されたハード送信ブランキングは、前記調整されたハード送信ブランキングの期間の間にどのフローも送信されないようにスケジューリングされることを備える、
請求項１に記載の方法。
【請求項１８】
前記第２のキャリア帯域幅にわたる前記同時送信の間に前記第１のキャリア帯域幅にわたる前記順方向リンク上の前記送信ブランキングを調整することは、
前記第２のキャリア帯域幅にわたる前記同時送信の間に前記第１のキャリア帯域幅にわたる前記順方向リンク上のソフト送信ブランキングを調整することを備える、
請求項１に記載の方法。
【請求項１９】
前記調整されたソフト送信ブランキングは、前記調整されたソフト送信ブランキングの期間の間に少なくとも優先度フローまたは遅延敏感フローを送信することを備える、
請求項１８に記載の方法。
【請求項２０】
前記調整されたソフト送信ブランキングは、前記調整されたソフト送信ブランキングの期間の間に送信電力を低減させることを備える、
請求項１８に記載の方法。
【請求項２１】
前記調整されたソフト送信ブランキングは、前記調整されたソフト送信ブランキングの期間全体よりも短い前記調整されたソフト送信ブランキングの一部の間に送信を行うことを備える、
請求項１８に記載の方法。
【請求項２２】
前記送信ブランキングを特定の時間に調整するための要求を前記第２のキャリア帯域幅から受信することと、
前記第２のキャリア帯域幅からの前記要求を受け入れることに合意することと
をさらに備える、請求項１に記載の方法。
【請求項２３】
前記調整された送信ブランキングは、基地局において行われる、
請求項１に記載の方法。
【請求項２４】
前記ワイヤレス通信システムは、時分割多重化システムである、
請求項１に記載の方法。
【請求項２５】
前記第２のキャリア帯域幅にわたる前記電力の増大と前記第１のキャリア帯域幅にわたる前記調整された送信ブランキングは、互いに独立に適用される、
請求項２に記載の方法。
【請求項２６】
前記第２のキャリア帯域幅にわたる前記電力の増大と前記第１のキャリア帯域幅にわたる前記調整された送信ブランキングは、一緒に適用される、
請求項２に記載の方法。
【請求項２７】
前記第２のキャリア帯域幅にわたる前記電力の増大と前記第１のキャリア帯域幅にわたる前記調整された送信ブランキングは、コロケートされたシステムにおいてアクティブ化される、
請求項２に記載の方法。
【請求項２８】
前記第２のキャリア帯域幅にわたる前記電力の増大と前記第１のキャリア帯域幅にわたる前記調整された送信ブランキングは、前記コロケートされたシステムの負荷に基づいて前記コロケートされたシステムにおいてアクティブ化される、
請求項２７に記載の方法。
【請求項２９】
前記第１のキャリア帯域幅にわたる前記調整された送信ブランキングはスロットレベルで行われる、
請求項２７に記載の方法。
【請求項３０】
前記第２のキャリア帯域幅にわたる前記電力の増大を利用して少なくとも制御チャネルまたはデータチャネルの少なくともデータレートを高くすることをさらに備える、
請求項２に記載の方法。
【請求項３１】
前記第１のキャリア帯域幅にわたる前記調整された送信ブランキングとは異なる期間の間に前記第１のキャリア帯域幅にわたる送信電力を増大させることをさらに備える、
請求項１に記載の方法。
【請求項３２】
前記第１のキャリア帯域幅が送信を行っていない１つまたは複数のスロットの間に前記第２のキャリア帯域幅にわたる前記同時送信を調整することをさらに備える、
請求項１に記載の方法。
【請求項３３】
前記第１のキャリア帯域幅にわたる同時送信の間に前記第２のキャリア帯域幅にわたる順方向リンク上の送信ブランキングを調整すること、または前記第２のキャリア帯域幅にわたる順方向リンク上の調整された送信ブランキングの間に前記第１のキャリア帯域幅にわたる送信電力を増大させること
をさらに備える、請求項１に記載の方法。
【請求項３４】
前記第１のキャリア帯域幅にわたる前記同時送信の間に前記第２のキャリア帯域幅にわたる前記順方向リンク上の前記送信ブランキングを調整することは、少なくとも前記第２のキャリア帯域幅に対する前記第１のキャリア帯域幅の相対的負荷または時刻に依存する、
請求項３３に記載の方法。
【請求項３５】
前記第２のキャリア帯域幅にわたる順方向リンク上の調整された送信ブランキングの間に前記第１のキャリア帯域幅にわたって電力送信を増大させることを調整することをさらに備える、
請求項１に記載の方法。
【請求項３６】
前記ワイヤレス通信システムの前記第１のキャリア帯域幅と少なくとも部分的にオーバーラップする前記第２のキャリア帯域幅とは異なる第３のキャリア帯域幅を識別することと、
前記第３のキャリア帯域幅にわたる同時送信の間に前記第１のキャリア帯域幅にわたる順方向リンク上の送信ブランキングを調整することと
をさらに備える、請求項１に記載の方法。
【請求項３７】
干渉を低減させるように構成されたワイヤレス通信システムであって、
前記ワイヤレス通信システムの第２のキャリア帯域幅と少なくとも部分的にオーバーラップする第１のキャリア帯域幅を識別するための手段と、
前記第２のキャリア帯域幅にわたる同時送信の間に前記第１のキャリア帯域幅にわたる順方向リンク上の送信ブランキングを調整するための手段と
を備えるシステム。
【請求項３８】
前記第２のキャリア帯域幅にわたる制御チャネル送信の間に前記第１のキャリア帯域幅にわたる前記順方向リンク上の前記送信ブランキングを調整するための手段をさらに備える、
請求項３７に記載のシステム。
【請求項３９】
前記第２のキャリア帯域幅にわたる前記同時送信の間の前記第１のキャリア帯域幅にわたる前記順方向リンク上の前記調整された送信ブランキングを少なくとも時刻または前記順方向リンクの負荷に基づいて変更するための手段をさらに備える、
請求項３７に記載のシステム。
【請求項４０】
少なくとも前記第１のキャリア帯域幅または前記第２のキャリア帯域幅はフレキシブルキャリア帯域幅である、
請求項３７に記載のシステム。
【請求項４１】
前記第１のキャリア帯域幅にわたる前記順方向リンク上の前記調整された送信ブランキングとしてのハード送信ブランキングを前記第２のキャリア帯域幅にわたる前記同時送信の間に調整するための手段をさらに備える、
請求項３７に記載のシステム。
【請求項４２】
前記第１のキャリア帯域幅にわたる前記順方向リンク上の前記調整された送信ブランキングとしてのソフト送信ブランキングを前記第２のキャリア帯域幅にわたる前記同時送信の間に調整するための手段をさらに備える、
請求項３７に記載のシステム。
【請求項４３】
前記第１のキャリア帯域幅にわたる前記調整された送信ブランキングの間に前記第２のキャリア帯域幅にわたる送信電力を増大させるための手段をさらに備える、
請求項３７に記載のシステム。
【請求項４４】
ワイヤレス通信システム内の干渉を低減させるためのコンピュータプログラム製品であって、
前記ワイヤレス通信システムの第２のキャリア帯域幅と少なくとも部分的にオーバーラップする第１のキャリア帯域幅を識別するためのコードと、
前記第２のキャリア帯域幅にわたる同時送信の間に前記第１のキャリア帯域幅にわたる順方向リンク上の送信ブランキングを調整するためのコードと
を備える非一時的コンピュータ可読媒体を備える
コンピュータプログラム製品。
【請求項４５】
前記非一時的コンピュータ可読媒体は、
前記第２のキャリア帯域幅にわたる制御チャネル送信の間に前記第１のキャリア帯域幅にわたる前記順方向リンク上の前記送信ブランキングを調整するためのコードをさらに備える、
請求項４４に記載のコンピュータプログラム製品。
【請求項４６】
前記非一時的コンピュータ可読媒体は、
前記第２のキャリア帯域幅にわたる前記同時送信の間の前記第１のキャリア帯域幅にわたる前記順方向リンク上の前記調整された送信ブランキングを少なくとも時刻または前記順方向リンクの負荷に基づいて変更するためのコードをさらに備える、
請求項４４に記載のコンピュータプログラム製品。
【請求項４７】
少なくとも前記第１のキャリア帯域幅または前記第２のキャリア帯域幅は、フレキシブルキャリア帯域幅である、
請求項４４に記載のコンピュータプログラム製品。
【請求項４８】
前記非一時的コンピュータ可読媒体は、
前記第１のキャリア帯域幅にわたる前記順方向リンク上の前記調整された送信ブランキングとしてのハード送信ブランキングを前記第２のキャリア帯域幅にわたる前記同時送信の間に調整するためのコードをさらに備える、
請求項４４に記載のコンピュータプログラム製品。
【請求項４９】
前記非一時的コンピュータ可読媒体は、
前記第１のキャリア帯域幅にわたる前記順方向リンク上の前記調整された送信ブランキングとしてのソフト送信ブランキングを前記第２のキャリア帯域幅にわたる前記同時送信の間に調整するためのコードをさらに備える、
請求項４４に記載のコンピュータプログラム製品。
【請求項５０】
前記非一時的コンピュータ可読媒体は、
前記第１のキャリア帯域幅にわたる前記調整された送信ブランキングの間に前記第２のキャリア帯域幅にわたる送信電力を増大させるためのコードをさらに備える、
請求項４４に記載のコンピュータプログラム製品。
【請求項５１】
ワイヤレス通信システム内の干渉を低減させるためのワイヤレス通信デバイスであって、
前記ワイヤレス通信システムの第２のキャリア帯域幅と少なくとも部分的にオーバーラップする第１のキャリア帯域幅を識別することと、
前記第２のキャリア帯域幅にわたる同時送信の間に前記第１のキャリア帯域幅にわたる順方向リンク上の送信ブランキングを調整することと
を行うように構成された少なくとも１つのプロセッサを備えるデバイス。
【請求項５２】
前記少なくとも１つのプロセッサは、
前記第２のキャリア帯域幅にわたる制御チャネル送信の間に前記第１のキャリア帯域幅にわたる前記順方向リンク上の前記送信ブランキングを調整するためようにさらに構成される、
請求項５１に記載のデバイス。
【請求項５３】
前記少なくとも１つのプロセッサは、
前記第２のキャリア帯域幅にわたる前記同時送信の間の前記第１のキャリア帯域幅にわたる前記順方向リンク上の前記調整された送信ブランキングを少なくとも時刻または前記順方向リンクの負荷に基づいて変更するようにさらに構成される、
請求項５１に記載のデバイス。
【請求項５４】
少なくとも前記第１のキャリア帯域幅または前記第２のキャリア帯域幅はフレキシブルキャリア帯域幅である、
請求項５１に記載のデバイス。
【請求項５５】
前記少なくとも１つのプロセッサは、
前記第１のキャリア帯域幅にわたる前記順方向リンク上の前記調整された送信ブランキングとしてのハード送信ブランキングを前記第２のキャリア帯域幅にわたる前記同時送信の間に調整するようにさらに構成される、
請求項５１に記載のデバイス。
【請求項５６】
前記少なくとも１つのプロセッサは、
前記第１のキャリア帯域幅にわたる前記順方向リンク上の前記調整された送信ブランキングとしてのソフト送信ブランキングを前記第２のキャリア帯域幅にわたる前記同時送信の間に調整するようにさらに構成される、
請求項５１に記載のデバイス。
【請求項５７】
ワイヤレス通信システム内の干渉を低減させる方法であって、
前記ワイヤレス通信システムの第１のキャリア帯域幅と第２のキャリア帯域幅を識別することであって、前記第１のキャリア帯域幅が、前記第２のキャリア帯域幅と少なくとも部分的にオーバーラップすることと、
前記第１のキャリア帯域幅にわたって順方向リンクのために送信電力を増大させることを前記第２のキャリア帯域幅に対して調整することと
を備える方法。
【請求項５８】
少なくとも時刻または前記順方向リンクの負荷を判定し、前記第１のキャリア帯域幅にわたって前記順方向リンクのために前記送信電力を増大させることを前記第２のキャリア帯域幅に対して調整することは、少なくとも、前記判定された時刻または前記順方向リンクの前記判定された負荷に基づいて変更される、
請求項５７に記載の方法。
【請求項５９】
前記送信電力を増大させることを特定の時間に調整するための要求を受信することをさらに備える、
請求項５７に記載の方法。
【請求項６０】
前記第１のキャリア帯域幅にわたる前記送信電力の前記調整された増大を行う間に前記第２のキャリア帯域幅にわたる送信ブランキングを調整することをさらに備える、
請求項５７に記載の方法。
【請求項６１】
少なくとも前記第１のキャリア帯域幅または前記第２のキャリア帯域幅はフレキシブルキャリア帯域幅である、
請求項５７に記載の方法。
【請求項６２】
前記送信電力を増大させることを調整することは、事前スケジューリングされた時間に行われる、
請求項５７に記載の方法。
【請求項６３】
前記送信電力を増大させることを調整することは、基地局において行われる、
請求項５７に記載の方法。
【請求項６４】
前記ワイヤレス通信システムの第３のキャリア帯域幅と前記第２のキャリア帯域幅を識別することであって、前記第２のキャリア帯域幅が、前記第３のキャリア帯域幅と少なくとも部分的にオーバーラップすることと、
前記第３のキャリア帯域幅にわたって順方向リンクのために送信電力を増大させることを前記第２のキャリア帯域幅に対して調整することと
をさらに備える、請求項５７に記載の方法。
【請求項６５】
干渉を低減させるように構成されたワイヤレス通信システムであって、
前記ワイヤレス通信システムの第１のキャリア帯域幅と第２のキャリア帯域幅を識別するための手段であって、前記第１のキャリア帯域幅が、前記第２のキャリア帯域幅と少なくとも部分的にオーバーラップする手段と、
前記第１のキャリア帯域幅にわたって順方向リンクのために送信電力を増大させることを前記第２のキャリア帯域幅に対して調整するための手段と
を備えるシステム。
【請求項６６】
前記第１のキャリア帯域幅にわたる前記順方向リンクのための前記送信電力の、前記第２のキャリア帯域幅に対する前記調整された増大を、少なくとも時刻または前記順方向リンクの負荷に基づいて変更するための手段をさらに備える、
請求項６５に記載のシステム。
【請求項６７】
前記第１のキャリア帯域幅または前記第２のキャリア帯域幅はフレキシブルキャリア帯域幅である、
請求項６５に記載のシステム。
【請求項６８】
前記第１のキャリア帯域幅にわたる前記送信電力の前記調整された増大を行う間に前記第２のキャリア帯域幅にわたる送信ブランキングを調整するための手段をさらに備える、
請求項６５に記載のシステム。
【請求項６９】
前記送信電力を増大させることを特定の時間に調整するための要求を受信するための手段をさらに備える、
請求項６５に記載のシステム。
【請求項７０】
ワイヤレス通信システム内の干渉を低減させるためのコンピュータプログラム製品であって、
前記ワイヤレス通信システムの第１のキャリア帯域幅と第２のキャリア帯域幅を識別するためのコードと、ここで、前記第１のキャリア帯域幅は、前記第２のキャリア帯域幅と少なくとも部分的にオーバーラップする、
前記第１のキャリア帯域幅にわたって順方向リンクのために送信電力を増大させることを前記第２のキャリア帯域幅に対して調整するためのコードと
を備える非一時的コンピュータ可読媒体を備える
コンピュータプログラム製品。
【請求項７１】
前記非一時的コンピュータ可読媒体は、
前記第１のキャリア帯域幅にわたる前記順方向リンクのための前記送信電力の、前記第２のキャリア帯域幅に対する前記調整された増大を、少なくとも時刻または前記順方向リンクの負荷に基づいて変更するためのコードをさらに備える、
請求項７０に記載のコンピュータプログラム製品。
【請求項７２】
少なくとも前記第１のキャリア帯域幅または前記第２のキャリア帯域幅はフレキシブルキャリア帯域幅である、
請求項７０に記載のコンピュータプログラム製品。
【請求項７３】
干渉を低減させるように構成されたワイヤレス通信デバイスであって、
前記ワイヤレス通信システムの第１のキャリア帯域幅と第２のキャリア帯域幅を識別することと、ここで、前記第１のキャリア帯域幅は、前記第２のキャリア帯域幅と少なくとも部分的にオーバーラップする、
前記第１のキャリア帯域幅にわたって順方向リンクのために送信電力を増大させることを前記第２のキャリア帯域幅に対して調整することと
を行うように構成された少なくとも１つのプロセッサを備える
デバイス。
【請求項７４】
前記少なくとも１つのプロセッサは、
前記第１のキャリア帯域幅にわたる前記順方向リンクのための前記送信電力の、前記第２のキャリア帯域幅に対する前記調整された増大を、少なくとも時刻または前記順方向リンクの負荷に基づいて変更するようにさらに構成される、
請求項７３に記載のデバイス。
【請求項７５】
少なくとも前記第１のキャリア帯域幅または前記第２のキャリア帯域幅はフレキシブルキャリア帯域幅である、
請求項７３に記載のデバイス。
【請求項７６】
前記少なくとも１つのプロセッサは、
前記第１のキャリア帯域幅にわたる前記送信電力の前記調整された増大を行う間に前記第２のキャリア帯域幅にわたる送信ブランキングを調整するようにさらに構成される、
請求項７３に記載のデバイス。
【請求項７７】
前記少なくとも１つのプロセッサは、
前記送信電力を増大させることを特定の時間に調整するための要求を受信するようにさらに構成される、
請求項７３に記載のデバイス。
【発明の詳細な説明】
【関連出願】
【０００１】
本特許出願は、本出願の譲受人に譲渡され、参照により本明細書に明確に組み込まれる、２０１１年１１月７日に出願された「ＦＲＡＣＴＩＯＮＡＬ  ＳＹＳＴＥＭＳ  ＩＮ  ＷＩＲＥＬＥＳＳ  ＣＯＭＭＵＮＩＣＡＴＩＯＮＳ」と題する仮出願第６１／５５６，７７７号の優先権を主張する。本特許出願は、本出願の譲受人に譲渡され、参照により本明細書に明確に組み込まれる、２０１１年１２月９日に出願された「ＳＩＧＮＡＬ  ＣＡＰＡＣＩＴＹ  ＢＯＯＳＴＩＮＧ，ＣＯＯＲＤＩＮＡＴＥＤ  ＦＯＲＷＡＲＤ  ＬＩＮＫ  ＢＬＡＮＫＩＮＧ  ＡＮＤ  ＰＯＷＥＲ  ＢＯＯＳＴＩＮＧ，ＡＮＤ  ＲＥＶＥＲＳＥ  ＬＩＮＫ  ＴＨＲＯＵＧＨＰＵＴ  ＩＮＣＲＥＡＳＩＮＧ  ＦＯＲ  ＦＬＥＸＩＢＬＥ  ＢＡＮＤＷＩＤＴＨ  ＳＹＳＴＥＭＳ」と題する仮出願第６１／５６８，７４２号の優先権も主張する。
【背景技術】
【０００２】
ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および出力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００３】
サービスプロバイダには一般に、ある地理的領域において排他的に使用される周波数スペクトルのブロックが割り振られる。複数のアクセス技法が使用されているにもかかわらず、これらの周波数ブロックは一般に、レギュレータによって割り当てられる。たいていの場合、これらのブロックはチャネル帯域幅の整数倍ではなく、したがって、スペクトルには利用されない部分が存在することがある。ワイヤレスデバイスの用途が増大するにつれて、一般にこのスペクトルの需要および有用性も急激に高まっている。それにもかかわらず、場合によっては、ワイヤレス通信システムは、割り振られたスペクトルの一部を、標準的な波形または通常の波形をはめ込めるほど大きくないために利用しないことがある。たとえば、ＬＴＥ規格の開発者は、この問題を認識し、６つの異なるシステム帯域幅、すなわち、１．４ＭＨｚ、３ＭＨｚ、５ＭＨｚ、１０ＭＨｚ、１５ＭＨｚ、および２０ＭＨｚをサポートすることを決定した。このことは、この問題に対する１つの部分的な解決策となり得る。さらに、それぞれに異なるシステム帯域幅は一般にオーバラップせず、干渉を回避する助けになり得る。
【発明の概要】
【０００４】
方法、システム、およびデバイスは、ワイヤレス通信システムにおいて順方向リンクブランキングおよび／または電力ブースティングを調整するために提供される。いくつかの実施形態は２つ以上の帯域幅システムを含む。ある帯域幅システムの帯域幅が別の帯域幅システムの帯域幅とオーバーラップすることがある。このオーバーラップが干渉を生じさせることがある。順方向リンクブランキングおよび／または電力ブースティングを調整すると、この干渉の影響を軽減する助けになり得る。いくつかの実施形態はフレキシブル帯域幅システムおよび／または通常帯域幅システムを利用する。
【０００５】
ワイヤレス通信システムのフレキシブル帯域幅波形は、フレキシブル波形を利用して、通常波形をはめ込めるほど大きくない場合があるスペクトルの部分を利用することができる。フレキシブル帯域幅システムの時間およびチップレートを通常帯域幅システムに対して遅らせるかまたはスケールダウンさせることによって、通常帯域幅システムに対するフレキシブル帯域幅システムを生成することができる。いくつかの実施形態は、フレキシブル帯域幅システムの時間またはチップレートを展開するかまたはスケールアップさせることによって波形の帯域幅を大きくすることができる。
【０００６】
いくつかの実施形態は、ワイヤレス通信システム内の干渉を低減させる方法を含む。この方法は、ワイヤレス通信システムの第２のキャリア帯域幅と少なくとも部分的にオーバーラップする第１のキャリア帯域幅を識別すること、および／または第１のキャリア帯域幅にわたる順方向リンク上の送信ブランキングを第２のキャリア帯域幅にわたる同時送信時の間に調整することを含んでもよい。
【０００７】
ワイヤレス通信システム内の干渉を低減させる方法は、第１のキャリア帯域幅にわたる調整された送信ブランキングの間に第２のキャリア帯域幅にわたる送信電力を増大させることを含んでもよい。第１のキャリア帯域幅にわたる順方向リンク上の送信ブランキングを調整することは、第２のキャリア帯域幅にわたる制御送信のタイミングを決定することと、第２のキャリア帯域幅にわたる制御チャネル送信の決定されたタイミングに基づいて送信ブランキングを調整することとをさらに含んでもよい。第１のキャリア帯域幅にわたる順方向リンク上の送信ブランキングを調整することは、第２のキャリア帯域幅にわたるデータ送信を決定することをさらに含んでもよい。第１のキャリア帯域幅にわたる順方向リンク上の送信ブランキングを調整することは、第２のキャリア帯域幅にわたるデータ送信の間に行われてよい。
【０００８】
ワイヤレス通信システム内の干渉を低減させる方法は、第２のキャリア帯域幅にわたる同時送信の間の第１のキャリア帯域幅にわたる順方向リンク上の調整された送信ブランキングを少なくとも時刻に基づいて変更することを含んでもよい。ワイヤレス通信システム内の干渉を低減させる方法は、少なくとも順方向リンクの負荷に基づいて第２のキャリア帯域幅にわたる同時送信の間の第１のキャリア帯域幅にわたる順方向リンク上の調整された送信ブランキングを変更することを含んでもよい。
【０００９】
いくつかの実施形態では、少なくとも第１のキャリア帯域幅または第２のキャリア帯域幅はフレキシブルキャリア帯域幅である。いくつかの実施形態では、第１のキャリア帯域幅および第２のキャリア帯域幅は通常キャリア帯域幅である。第１のキャリア帯域幅は第２のキャリア帯域幅と完全にオーバーラップしてもよい。
【００１０】
第１のキャリア帯域幅にわたる調整された送信ブランキングと第２のキャリア帯域幅にわたる同時送信はコロケーションにおいて行われてもよい。第１のキャリア帯域幅にわたる調整された送信ブランキングと第２のキャリア帯域幅にわたる同時送信はコロケートされなくてもよい。第１のキャリア帯域幅にわたる調整された送信ブランキングは、事前スケジューリングされた時間に行われてもよい。第１のキャリア帯域幅にわたる調整された送信ブランキングと第２のキャリア帯域幅にわたる同時送信は、少なくとも絶対時刻または既知の時間オフセットに対して同期されてよい。
【００１１】
いくつかの実施形態では、少なくとも第１のキャリア帯域幅または第２のキャリア帯域幅は認可スペクトルを利用する。第１のキャリア帯域幅と第２のキャリア帯域幅は異なる無線アクセス技法（ＲＡＴ）を利用してもよい。
【００１２】
第１のキャリア帯域幅にわたる順方向リンク上の送信ブランキングを第２のキャリア帯域幅にわたる同時送信の間に調整することは、第１のキャリア帯域幅にわたる順方向リンク上のハード送信ブランキングを第２のキャリア帯域幅にわたる同時送信の間に調整することを含んでもよい。調整されたハード送信ブランキングは、調整されたハード送信ブランキングの期間の間にどのフローも送信されないようにスケジューリングされることを含んでもよい。第１のキャリア帯域幅にわたる順方向リンク上の送信ブランキングを第２のキャリア帯域幅にわたる同時送信の間に調整することは、第２のキャリア帯域幅にわたる同時送信の間に第１のキャリア帯域幅にわたる順方向リンク上のソフト送信ブランキングを調整することを含んでもよい。調整されたソフト送信ブランキングは、調整されたソフト送信ブランキングの期間の間少なくとも優先度フローまたは遅延敏感フローを送信することを含んでもよい。調整されたソフト送信ブランキングは、調整されたソフト送信ブランキングの期間の間送信電力を低下させることを含んでもよい。調整されたソフト送信ブランキングは、調整されたソフト送信ブランキングの期間全体よりも短い調整されたソフト送信ブランキングの一部の間に送信を行うことを含んでもよい。いくつかの実施形態は、第２のキャリア帯域幅からの要求を受信して特定の時間に送信ブランキングを調整し、および／または第２のキャリア帯域幅からの要求を受け入れることに合意することをさらに含んでもよい。
【００１３】
調整された送信ブランキングは基地局において行われてもよい。ワイヤレス通信システムは時分割多重システムを含んでもよい。第１のキャリア帯域幅にわたる調整された送信ブランキングは、スロットレベルで行われてもよい。
【００１４】
第２のキャリア帯域幅にわたる電力の増大と第１のキャリア帯域幅にわたる調整された送信ブランキングは互いに独立して適用されてもよい。第２のキャリア帯域幅にわたる電力の増大と第１のキャリア帯域幅にわたる調整された送信ブランキングは一緒に適用されてもよい。第２のキャリア帯域幅にわたる電力の増大と第１のキャリア帯域幅にわたる調整された送信ブランキングは、コロケートされたシステムにおいてアクティブ化されてもよい。第２のキャリア帯域幅にわたる電力の増大と第１のキャリア帯域幅にわたる調整された送信ブランキングは、コロケートされたシステムの負荷に基づいてコロケートされたシステムにおいてアクティブ化されてもよい。
【００１５】
いくつかの実施形態は、第２のキャリア帯域幅にわたる電力の増大を利用して少なくとも制御チャネルまたはデータチャネルの少なくともデータレートを高くすることを含む。いくつかの実施形態は、第１のキャリア帯域幅にわたる調整された送信ブランキングとは異なる期間の間に第１のキャリア帯域幅にわたる送信電力を増大させることを含む。いくつかの実施形態は、第１のキャリア帯域幅が送信を行わない１つまたは複数のスロットの間に第２のキャリア帯域幅にわたる同時送信を調整することを含む。いくつかの実施形態は、第１のキャリア帯域幅にわたる同時送信の間に第２のキャリア帯域幅にわたる順方向リンク上の送信ブランキングを調整すること、または第２のキャリア帯域幅にわたる順方向リンク上の調整された送信ブランキングの間に第１のキャリア帯域幅にわたる送信電力を増大させることを含む。第１のキャリア帯域幅にわたる同時送信の間に第２のキャリア帯域幅にわたる順方向リンク上の送信ブランキングを調整することは、少なくとも第２のキャリア帯域幅に対する第１のキャリア帯域幅の相対的負荷または時刻に依存することがある。いくつかの実施形態は、第２のキャリア帯域幅にわたる順方向リンク上の調整された送信ブランキングの間に第１のキャリア帯域幅にわたって電力送信を増大させることを調整することを含む。いくつかの実施形態は、ワイヤレス通信システムの第１のキャリア帯域幅と少なくとも部分的にオーバーラップする第２のキャリア帯域幅とは異なる第３のキャリア帯域幅を識別すること、および／または第１のキャリア帯域幅にわたる順方向リンク上の送信ブランキングを第３のキャリア帯域幅にわたる同時送信時の間に調整することを含む。
【００１６】
前述の方法は、いくつかの実施形態では、干渉を低減させるように構成されたワイヤレス通信システム、干渉を低減させるように構成されたワイヤレス通信デバイス、および／または非一時的コンピュータ可読媒体を含む、ワイヤレス通信システム内の干渉を低減させるためのコンピュータプログラム製品に実装されてもよい。
【００１７】
いくつかの実施形態は、干渉を低減させるように構成されたワイヤレス通信システムを含む。このシステムは、ワイヤレス通信システムの第２のキャリア帯域幅と少なくとも部分的にオーバーラップする第１のキャリア帯域幅を識別するための手段、および／または第１のキャリア帯域幅にわたる順方向リンク上の送信ブランキングを第２のキャリア帯域幅にわたる同時送信の間に調整するための手段を含んでもよい。
【００１８】
干渉を低減させるように構成されたワイヤレス通信システムは、第１のキャリア帯域幅にわたる順方向リンク上の送信ブランキングを第２のキャリア帯域幅にわたる制御チャネル送信の間に調整するための手段を含んでもよい。干渉を低減させるように構成されたワイヤレス通信システムは、第２のキャリア帯域幅にわたる同時送信の間の第１のキャリア帯域幅にわたる順方向リンク上の調整された送信ブランキングを少なくとも時刻または順方向リンクの負荷に基づいて変更するための手段を含んでもよい。いくつかの実施形態では、少なくとも第１のキャリア帯域幅または第２のキャリア帯域幅はフレキシブルキャリア帯域幅である。
【００１９】
干渉を低減させるように構成されたワイヤレス通信システムは、第１のキャリア帯域幅にわたる順方向リンク上の調整された送信ブランキングを第２のキャリア帯域幅にわたる同時送信の間に調整するための手段を含んでもよい。干渉を低減させるように構成されたワイヤレス通信システムは、第１のキャリア帯域幅にわたる順方向リンク上の調整された送信ブランキングとしてのソフト送信ブランキングを第２のキャリア帯域幅にわたる同時送信の間に調整するための手段を含んでもよい。干渉を低減させるように構成されたワイヤレス通信システムは、第１のキャリア帯域幅にわたる調整された送信ブランキングの間に第２のキャリア帯域幅にわたる送信電力を増大させるための手段を含んでもよい。
【００２０】
干渉を低減させるように構成されたワイヤレス通信システムは、上述のワイヤレス通信システム内の干渉を低減させる方法の他の態様を実装するための手段を含んでもよい。
【００２１】
いくつかの実施形態は、ワイヤレス通信システム内の干渉を低減させるためのコンピュータプログラム製品を含む。本コンピュータプログラム製品は、ワイヤレス通信システムの第２のキャリア帯域幅と少なくとも部分的にオーバーラップする第１のキャリア帯域幅を識別するためのコード、および／または第１のキャリア帯域幅にわたる順方向リンク上の送信ブランキングを第２のキャリア帯域幅にわたる同時送信の間に調整するためのコードを含む非一時的コンピュータ可読媒体を含んでもよい。
【００２２】
非一時的コンピュータ可読媒体は、第１のキャリア帯域幅にわたる順方向リンク上の送信ブランキングを第２のキャリア帯域幅にわたる制御チャネル送信の間に調整するためのコードを含んでもよい。非一時的コンピュータ可読媒体は、第２のキャリア帯域幅にわたる同時送信の間の第１のキャリア帯域幅にわたる順方向リンク上の調整された送信ブランキングを少なくとも時刻または順方向リンクの負荷に基づいて変更するためのコードを含んでもよい。少なくとも第１のキャリア帯域幅または第２のキャリア帯域幅はフレキシブルキャリア帯域幅であってもよい。
【００２３】
非一時的コンピュータ可読媒体は、第１のキャリア帯域幅にわたる順方向リンク上の調整された送信ブランキングとしてのハード送信ブランキングを第２のキャリア帯域幅にわたる同時送信の間に調整するためのコードを含んでもよい。非一時的コンピュータ可読媒体は、第１のキャリア帯域幅にわたる順方向リンク上の調整された送信ブランキングとしてのソフト送信ブランキングを第２のキャリア帯域幅にわたる同時送信の間に調整するためのコードを含んでもよい。非一時的コンピュータ可読媒体は、第１のキャリア帯域幅にわたる調整された送信ブランキングの間に第２のキャリア帯域幅にわたる送信電力を増大させるためのコードを含んでもよい。
【００２４】
非一時的を含む、ワイヤレス通信システム内の干渉を低減させるためのコンピュータプログラム製品は、上述のワイヤレス通信システム内の干渉を低減させる方法の他の態様を実装するためのコードを含んでもよい。
【００２５】
いくつかの実施形態は、ワイヤレス通信システム内の干渉を低減させるように構成されたワイヤレス通信デバイスを含む。デバイスは、ワイヤレス通信システムの第２のキャリア帯域幅と少なくとも部分的にオーバーラップする第１のキャリア帯域幅を識別すること、および／または第１のキャリア帯域幅にわたる順方向リンク上の送信ブランキングを第２のキャリア帯域幅にわたる同時送信時の間に調整することを行うように構成された少なくとも１つのプロセッサを含んでもよい。
【００２６】
少なくとも１つのプロセッサは、第１のキャリア帯域幅にわたる順方向リンク上の送信ブランキングを第２のキャリア帯域幅にわたる制御チャネル送信の間に調整するようにさらに構成されてもよい。少なくとも１つのプロセッサは、第２のキャリア帯域幅にわたる同時送信の間の第１のキャリア帯域幅にわたる順方向リンク上の調整された送信ブランキングを少なくとも時刻または順方向リンクの負荷に基づいて変更するようにさらに構成されてもよい。いくつかの実施形態では、少なくとも第１のキャリア帯域幅または第２のキャリア帯域幅はフレキシブルキャリア帯域幅である。
【００２７】
少なくとも１つのプロセッサは、第１のキャリア帯域幅にわたる順方向リンク上の調整された送信ブランキングとしてのハード送信ブランキングを第２のキャリア帯域幅にわたる同時送信の間に調整するようにさらに構成されてもよい。少なくとも１つのプロセッサは、第１のキャリア帯域幅にわたる順方向リンク上の調整された送信ブランキングとしてのソフト送信ブランキングを第２のキャリア帯域幅にわたる同時送信の間に調整するようにさらに構成されてもよい。
【００２８】
少なくとも１つのプロセッサは、上述のワイヤレス通信システム内の干渉を低減させる方法の他の態様を実装するようにさらに構成されてもよい。
【００２９】
いくつかの実施形態は、ワイヤレス通信システム内の干渉を低減させる方法を含む。この方法は、互いに少なくとも部分的にオーバーラップするワイヤレス通信システムの第１のキャリア帯域幅と第２のキャリア帯域幅を識別すること、および／または第１のキャリア帯域幅にわたって順方向リンクのために送信電力を増大させることを第２のキャリア帯域幅に対して調整することを含んでもよい。
【００３０】
ワイヤレス通信システム内の干渉を低減させる方法は、少なくとも時刻または順方向リンクの負荷を判定することと、第１のキャリア帯域幅にわたって順方向リンクのために送信電力を増大させることを、少なくとも、判定された時刻または順方向リンクの判定された負荷に基づいて、第２のキャリア帯域幅の変化に対して調整することとを含んでもよい。ワイヤレス通信システム内の干渉を低減させる方法は、特定の時間に送信電力を増大させることを調整するための要求を受信することを含んでよい。ワイヤレス通信システム内の干渉を低減させる方法は、第１のキャリア帯域幅にわたる調整された送信電力を増大させる間に第２のキャリア帯域幅にわたる送信ブランキングを調整することを含んでもよい。いくつかの実施形態では、少なくとも第１のキャリア帯域幅または第２のキャリア帯域幅はフレキシブルキャリア帯域幅である。
【００３１】
ワイヤレス通信システム内の干渉を低減させる方法は、事前スケジューリングされた時間に送信電力を増大させることを調整することを含んでよい。ワイヤレス通信システム内の干渉を低減させる方法は、基地局において送信電力を増大させることを調整することを含んでよい。
【００３２】
ワイヤレス通信システム内の干渉を低減させる方法は、ワイヤレス通信システムの第３のキャリア帯域幅と、第３のキャリア帯域幅と部分的にオーバーラップする第２のキャリア帯域幅を識別すること、および／または第３のキャリア帯域幅にわたって順方向リンクのために送信電力を増大させることを第２のキャリア帯域幅に対して調整することを含んでもよい。
【００３３】
前述の方法は、いくつかの実施形態では、干渉を低減させるように構成されたワイヤレス通信システム、干渉を低減させるように構成されたワイヤレス通信デバイス、および／または非一時的コンピュータ可読媒体を含む、ワイヤレス通信システム内の干渉を低減させるためのコンピュータプログラム製品に実装されてもよい。
【００３４】
いくつかの実施形態は、干渉を低減させるように構成されたワイヤレス通信システムを含む。この方法は、互いに少なくとも部分的にオーバーラップするワイヤレス通信システムの第１のキャリア帯域幅と第２のキャリア帯域幅を識別するための手段、および／または第１のキャリア帯域幅にわたって順方向リンクのために送信電力を増大させることを第２のキャリア帯域幅に対して調整するための手段を含んでもよい。
【００３５】
干渉を低減させるように構成されたワイヤレス通信システムは、第１のキャリア帯域幅にわたる順方向リンクのための送信電力の、第２のキャリア帯域幅に対する調整された増大を、少なくとも時刻または順方向リンクの負荷に基づいて変更するための手段を含んでもよい。いくつかの実施形態では、少なくとも第１のキャリア帯域幅または第２のキャリア帯域幅はフレキシブルキャリア帯域幅である。
【００３６】
干渉を低減させるように構成されたワイヤレス通信システムは、第２のキャリア帯域幅にわたる送信ブランキングを第１のキャリア帯域幅にわたって調整された送信電力を増大させる間に調整するための手段を含んでもよい。干渉を低減させるように構成されたワイヤレス通信システムは、特定の時間に送信電力を増大させることを調整するための要求を受信するための手段を含んでよい。
【００３７】
干渉を低減させるように構成されたワイヤレス通信システムは、上述のワイヤレス通信システム内の干渉を低減させる方法の他の態様を実装するための手段を含んでもよい。
【００３８】
いくつかの実施形態は、非一時的コンピュータ可読媒体を含む、ワイヤレス通信システム内の干渉を低減させるためのコンピュータプログラム製品を含む。非一時的コンピュータ可読媒体は、互いに少なくとも部分的にオーバーラップするワイヤレス通信システムの第１のキャリア帯域幅と第２のキャリア帯域幅を識別するためのコード、および／または第１のキャリア帯域幅にわたって順方向リンクのために送信電力を増大させることを第２のキャリア帯域幅に対して調整するためのコードを含んでもよい。
【００３９】
非一時的コンピュータ可読媒体は、少なくとも時刻または順方向リンクの負荷に基づいて第２のキャリア帯域幅に対する第１のキャリア帯域幅にわたる順方向リンクのための調整された送信電力増大を変更するためのコードを含んでもよい。いくつかの実施形態では、少なくとも第１のキャリア帯域幅または第２のキャリア帯域幅はフレキシブルキャリア帯域幅である。
【００４０】
非一時的コンピュータ可読媒体は、上述のワイヤレス通信システム内の干渉を低減させる方法の他の態様を実装するためのコードを含んでもよい。
【００４１】
いくつかの実施形態は、干渉を低減させるように構成されたワイヤレス通信デバイスを含む。デバイスは、互いに少なくとも部分的にオーバーラップするワイヤレス通信システムの第１のキャリア帯域幅と第２のキャリア帯域幅を識別すること、および／または第１のキャリア帯域幅にわたって順方向リンクのために送信電力を増大させることを第２のキャリア帯域幅に対して調整することを行うように構成された少なくとも１つのプロセッサを含んでもよい。
【００４２】
少なくとも１つのプロセッサは、少なくとも時刻または順方向リンクの負荷に基づいて第２のキャリア帯域幅に対する第１のキャリア帯域幅にわたる順方向リンクのための調整された送信電力増大を変更するようにさらに構成されてもよい。いくつかの実施形態では、少なくとも第１のキャリア帯域幅または第２のキャリア帯域幅はフレキシブルキャリア帯域幅である。
【００４３】
少なくとも１つのプロセッサは、第２のキャリア帯域幅にわたる送信ブランキングを第１のキャリア帯域幅にわたって調整された送信電力を増大させる間に調整するようにさらに構成されてもよい。少なくとも１つのプロセッサは、送信電力を増大させることを特定の時間に調整するための要求を受信するようにさらに構成されてもよい。
【００４４】
少なくとも１つのプロセッサは、上述のワイヤレス通信システム内の干渉を低減させる方法の他の態様を実装するようにさらに構成されてもよい。
【００４５】
上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価の構成は、添付の特許請求の範囲の趣旨および範囲から逸脱しない。本明細書で開示する概念を特徴づけると考えられる特徴は、それらの構成と動作方法の両方に関して、関連する利点とともに、添付の図に関連して以下の説明を検討するとより良く理解されよう。図の各々は、例示および説明のみの目的で提供され、特許請求の範囲を定めるものではない。
【図面の簡単な説明】
【００４６】
以下の図面を参照すれば、本発明の性質および利点のさらなる理解が実現され得る。添付の図において、同様のコンポーネントまたは特徴は同じ参照ラベルを有し得る。さらに、同じタイプの様々なコンポーネントは、ダッシュによる参照ラベルと、それらの同様のコンポーネント同士を区別する第２のラベルとに従って、区別され得る。第１の参照ラベルのみが明細書において使用される場合、その説明は、第２の参照ラベルにかかわらず、同じ第１の参照ラベルを有する同様のコンポーネントのうちのいずれの１つにも適用可能である。
【図１】様々な実施形態によるワイヤレス通信システムのブロック図。
【図２Ａ】様々な実施形態による、フレキシブル波形が通常波形をはめ込めるほど大きくないスペクトルの部分に合わされるワイヤレス通信システムの一例を示す図。
【図２Ｂ】様々な実施形態による、フレキシブル波形が帯域のエッジの近くのスペクトルの部分にはめ込まれるワイヤレス通信システムの一例を示す図。
【図２Ｃ】様々な実施形態による、フレキシブル波形が通常波形と部分的にオーバーラップするワイヤレス通信システムの一例を示す図。
【図２Ｄ】様々な実施形態による、フレキシブル波形が通常波形と完全にオーバーラップするワイヤレス通信システムの一例を示す図。
【図２Ｅ】様々な実施形態による、あるフレキシブル波形が通常波形と完全にオーバーラップし、別のフレキシブル波形が通常波形と部分的にオーバーラップするワイヤレス通信システムの一例を示す図。
【図２Ｆ】様々な実施形態による、ある通常波形が別の通常波形と部分的にオーバーラップするワイヤレス通信システムの一例を示す図。
【図３】様々な実施形態によるワイヤレス通信システムのブロック図。
【図４】様々な実施形態による通常帯域幅システムおよびフレキシブル帯域幅システムのフレームおよびスロット構造の一例を示す図。
【図５】様々な実施形態によるフレキシブル帯域幅システム上の制御チャネル送信と調整される通常帯域幅システム上の送信ブランキングの一例を示す図。
【図６】様々な実施形態による干渉低減機能を含むデバイスのブロック図。
【図７】様々な実施形態によるモバイルデバイスのブロック図。
【図８】様々な実施形態によるワイヤレス通信システムのブロック図。
【図９】様々な実施形態による、基地局とモバイルデバイスとを含むワイヤレス通信システムのブロック図。
【図１０Ａ】様々な実施形態による、ワイヤレス通信システム内の干渉を低減させるための方法のフローチャート。
【図１０Ｂ】様々な実施形態による、ワイヤレス通信システム内の干渉を低減させるための方法のフローチャート。
【図１０Ｃ】様々な実施形態による、ワイヤレス通信システム内の干渉を低減させるための方法のフローチャート。
【図１１Ａ】様々な実施形態による、ワイヤレス通信システム内の干渉を低減させるための方法のフローチャート。
【図１１Ｂ】様々な実施形態による、ワイヤレス通信システム内の干渉を低減させるための方法のフローチャート。
【図１１Ｃ】様々な実施形態による、ワイヤレス通信システム内の干渉を低減させるための方法のフローチャート。
【発明を実施するための形態】
【００４７】
ワイヤレス通信システムにおいて順方向リンクブランキングおよび／または電力ブースティングを調整するための方法、システム、およびデバイスを提供する。いくつかの実施形態は２つ以上の帯域幅システムを含む。ある帯域幅システムの帯域幅が別の帯域幅システムの帯域幅とオーバーラップすることがある。このオーバーラップが干渉を生じさせることがある。順方向リンクブランキングおよび／または電力ブースティングを調整すると、この干渉の影響を軽減する助けになり得る。いくつかの実施形態はフレキシブル帯域幅システムおよび／または通常帯域幅システムを利用する。
【００４８】
いくつかの実施形態はハードブランキングおよび／またはソフトブランキングを利用してもよい。たとえば、いくつかの実施形態はシステム内の１つまたは複数のスロットについてデータのスケジューリングが除外される一方のシステムにおいてハードブランキングを利用してよい。場合によっては、これらのスロットでは依然として、空スロットの場合と同様にパイロット送信および／またはＭＡＣ送信を行うことができる。ソフトブランキングは、たとえば基地局がスロットのデータ部分において完全に静止するとは限らず、基地局が、たとえばソフトブランキングがない状態で基地局が有する送信量よりも少ない量を送信し得る状況を含んでもよい。ソフトブランキングは、たとえばブランキング持続時間の少なくとも一部にわたって少なくとも優先度フローまたは遅延敏感フローを送信することを含んでよい。ソフトブランキングは送信電力を低減させることを含んでもよい。ソフトブランキングはあるチャネルの電力を低減させることを含んでもよい。
【００４９】
ワイヤレス通信システムのフレキシブル帯域幅波形は、フレキシブル波形を利用して、通常波形をはめ込めるほど大きくない場合があるスペクトルの部分を利用することができる。フレキシブル帯域幅システムの時間およびチップレートを通常帯域幅システムに対して遅らせるかまたはスケールダウンさせることによって、通常帯域幅システムに対するフレキシブル帯域幅システムを生成することができる。いくつかの実施形態は、フレキシブル帯域幅システムの時間またはチップレートを展開するかまたはスケールアップさせることによって波形の帯域幅を大きくすることができる。
【００５０】
本明細書で説明する技法は、ＣＤＭＡ、ＴＤＭＡ、ＦＤＭＡ、ＯＦＤＭＡ、ＳＣ−ＦＤＭＡ、ピアツーピア、および他のシステムなど、様々なワイヤレス通信システムに使用され得る。「システム」および「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００、ＩＳ−９５およびＩＳ−８５６規格を対象とする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））およびＣＤＭＡの他の変形態を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムまたはＯＦＤＭシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ２」（３ＧＰＰ２）という名称の組織からの文書に記載されている。本明細書で説明する技法は、上記のシステムおよび無線技術、ならびに他のシステムおよび無線技術に使用され得る。
【００５１】
したがって、以下の説明は、例を与えるものであり、特許請求の範囲において記載される範囲、適用性、または構成を限定するものではない。本開示の趣旨および範囲から逸脱することなく、論じられる要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００５２】
最初に図１を参照すると、ブロック図に、様々な実施形態によるワイヤレス通信システム１００の一例が示されている。システム１００は、基地局１０５と、モバイルデバイス１１５と、基地局コントローラ１２０と、コアネットワーク１３０とを含む（コントローラ１２０は、実施形態によってはコアネットワーク１３０に組み込まれてもよく、かつ実施形態によっては基地局１０５に組み込まれてもよい）。システム１００は、複数のキャリア（異なる周波数の波形信号）での動作をサポートし得る。マルチキャリア送信機は、複数のキャリアで同時に、被変調信号を送信し得る。各被変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであり得る。各被変調信号は、異なるキャリア上で送られ得、制御情報（たとえば、パイロット信号）、オーバーヘッド情報、データなどを搬送し得る。システム１００は、ネットワークリソースを効率的に割り振ることが可能なマルチキャリアＬＴＥネットワークであり得る。
【００５３】
モバイルデバイス１１５は、移動局、モバイルデバイス、アクセス端末、加入者ユニットまたはユーザ機器のうちの任意のタイプであってよい。モバイルデバイス１１５は、セルラーフォンとワイヤレス通信デバイスとを含み得るが、携帯情報端末（ＰＤＡ）、スマートフォン、他のハンドヘルドデバイス、ネットブック、ノートブックコンピュータなどをも含み得る。したがって、モバイルデバイスという用語は、任意のタイプのワイヤレスまたはモバイルの通信デバイスを含むように、特許請求の範囲を含めて以下に広く解釈されるべきである。
【００５４】
基地局１０５は、基地局アンテナを介してモバイルデバイス１１５とワイヤレス通信し得る。基地局１０５は、複数のキャリアを介してコントローラ１２０の制御下でモバイルデバイス１１５と通信するように構成されてもよい。基地局１０５のサイトの各々は、それぞれの地理的エリアを通信カバレージとすることができる。いくつかの実施形態では、基地局１０５をノードＢ、ｅノードＢ、ホームノードＢ、および／またはホームｅノードＢと呼ぶことがある。ここでは、各基地局１０５に対するカバレージエリアは、１１０−ａ、１１０−ｂ、または１１０−ｃとして識別される。基地局のためのカバレージエリアは、セクタ（図示しないが、カバレージエリアの一部のみを構成する）に分割され得る。システム１００は、異なるタイプの基地局１０５（たとえば、マクロ基地局、マイクロ基地局、フェムト基地局、および／またはピコ基地局）を含み得る。
【００５５】
モバイルデバイス１１５、基地局１０５、コアネットワーク１３０、および／またはコントローラ１２０などのシステム１００の様々な態様は、様々な実施形態によるフレキシブル帯域幅およびフレキシブル波形を利用するように構成されてもよい。システム１００はたとえば、モバイルデバイス１１５と基地局１０５との間の送信１２５を示す。送信１２５は、モバイルデバイス１１５から基地局１０５へのアップリンク送信および／または逆方向リンク送信、ならびに／あるいは基地局１０５からモバイルデバイス１１５へのダウンリンク送信および／または順方向リンク送信を含んでもよい。送信１２５は、フレキシブル波形および／または通常波形を含んでもよい。通常波形をレガシー波形および／または通常波形と呼ぶこともある。
【００５６】
モバイルデバイス１１５、基地局１０５、コアネットワーク１３０、および／またはコントローラ１２０などのシステム１００の様々な態様は、様々な実施形態によるフレキシブル帯域幅およびフレキシブル波形を利用するように構成されてもよい。たとえば、システム１００の様々な態様は、通常波形をはめ込めるほど大きくない場合があるスペクトルの部分を利用することができる。モバイルデバイス１１５、基地局１０５、コアネットワーク１３０、および／またはコントローラ１２０などのデバイスは、フレキシブル帯域幅および／またはフレキシブル波形を生成しかつ／あるいは利用するようにチップレートおよび／またはスケーリングファクタを適合させるように構成されてもよい。システム１００のいくつかの態様は、通常サブシステムの時間に対してフレキシブルサブシステム（特定のモバイルデバイス１１５および／または基地局１０５など）の時間を遅らせるかまたはスケールダウンすることによって（他のモバイルデバイス１１５および／または基地局１０５を使用して実装することのできる）通常サブシステムに対して生成することのできるフレキシブルサブシステムを形成することができる。
【００５７】
いくつかの実施形態では、モバイルデバイス１１５、基地局１０５、コアネットワーク１３０、および／またはコントローラ１２０などのシステム１００の様々な態様は、通常帯域幅システムおよび／またはフレキシブル帯域幅システムにおける順方向リンクブランキングおよび／または電力ブースティングを調整することができるように構成されてもよい。たとえば、モバイルデバイス１１５と基地局１０５との間の送信は、通常波形の帯域幅とオーバーラップしてもよいフレキシブル波形の帯域幅を利用することができる。このオーバーラップがさらなる干渉を生じさせることがある。基地局１０５は、この干渉の影響を軽減する助けとすることができる順方向リンクブランキングおよび／または電力ブースティングを調整してもよい。
【００５８】
図２Ａは、様々な実施形態による基地局１０５−ａとモバイルデバイス１１５−ａとを有するワイヤレス通信システム２００−ａの一例を示し、この場合、フレキシブル波形２１０−ａが通常波形２２０−ａをはめ込むほど広くないスペクトルの部分にはめ込まれる。システム２００−ａは図１のシステム１００の一例であってもよい。いくつかの実施形態では、フレキシブル波形２１０−ａが、基地１０５−ａおよび／またはモバイルデバイス１１５−ａのいずれかが送信することのできる通常波形２２０−ａとオーバーラップしてもよい。場合によっては、通常波形２２０−ａがフレキシブル波形２１０−ａと完全にオーバーラップしてもよい。いくつかの実施形態は複数のフレキシブル波形２１０を利用してもよい。いくつかの実施形態では、別の基地局および／またはモバイルデバイス（図示せず）が通常波形２２０−ａおよび／またはフレキシブル波形２１０−ａを送信してよい。
【００５９】
いくつかの実施形態では、モバイルデバイス１１５−ａおよび／または基地局１０５−ａは、割り当てられたリソースを様々なトラフィックパターンにカスタム化できるようにシグナリングおよびデータトラフィックを様々なフレキシブル帯域幅キャリア２１０として分離するように構成されてもよい。基地局１０５−ａは、通常波形２２０−ａおよび／またはフレキシブル波形２１０−ａに対して順方向リンクブランキングおよび／または電力ブースティングを調整するように構成されてよい。たとえば、モバイルデバイス１１５−ａと基地局１０５−ａとの間の送信は、通常波形２２０−ａの帯域幅とオーバーラップしてもよいフレキシブル波形２１０−ａの帯域幅を利用することができる。いくつかの実施形態では、モバイルデバイス１１５−ａおよび／または基地局１０５−ａは、逆方向リンクブランキングを使用して複数のワイヤレスシステムの調整をすることによって逆方向リンクスループットを高めるように構成されてもよい。基地局１０５−ａは、様々なインジケータを利用してモバイルデバイス１１５−ａなどのデバイスに通常波形２２０−ａ上で逆方向リンクブランキングを利用してオーバーラップするフレキシブル波形２１０−ａのスループットを高めさせてもよい。いくつかの実施形態では、フレキシブル波形２１０−ａ上で逆方向リンクブランキングを行ってもよい。いくつかの実施形態では、逆方向リンク上で電力ブースティングを利用して、フレキシブル波形２１０−ａ上などで逆方向リンクスループットを高めてもよい。図２Ｂは、基地局１０５−ｂとモバイルデバイス１１５−ｂとを有し、フレキシブル波形２１０−ｂが、ガードバンドであってもよい帯域のエッジの近くに位置し、通常波形２２０−ｂをはめ込めることができないスペクトルの部分にはめ込まれるワイヤレス通信システム２００−ｂの例を示す。システム２００−ｂは、図１のシステム１００の一例であり得る。
【００６０】
図２Ｃは、様々な実施形態による、フレキシブル波形２１０−ｃが通常波形２２０−ｃと部分的にオーバーラップするワイヤレス通信システム２００−ｃの一例を示す。システム２００−ｃは、図１のシステム１００の一例であり得る。図２Ｄは、様々な実施形態による、フレキシブル波形２１０−ｄが通常波形２２０−ｄと完全にオーバーラップするワイヤレス通信システム２００−ｄの一例を示す。システム２００−ｄは、図１のシステム１００の一例であり得る。図２Ｅは、様々な実施形態による、あるフレキシブル波形２１０−ｆが通常波形２２０−ｅと完全にオーバーラップし、別のフレキシブル波形２１０−ｅが通常波形２２０−ｅと部分的にオーバーラップするワイヤレス通信システム２００−ｅの一例を示す。システム２００−ｅは、図１のシステム１００の一例であり得る。図２Ｆは、様々な実施形態による、ある通常波形２２０−ｆが別の通常波形２２０−ｇと部分的にオーバーラップするワイヤレス通信システム２００−ｆの一例を示す。システム２００−ｆは、図１のシステム１００の一例であり得る。
【００６１】
一般に、第１の波形またはキャリア帯域幅と第２の波形またはキャリア帯域幅は、少なくとも１％、２％、および／または５％だけオーバーラップするときに部分的にオーバーラップし得る。いくつかの実施形態では、部分的なオーバーラップは、オーバーラップが少なくとも１０％であるときに生じてもよい。いくつかの実施形態では、部分的なオーバーラップは９９％、９８％、および／または９５％であってもよい。いくつかの実施形態では、部分的なオーバーラップは９０％未満であってもよい。場合によっては、図２のシステム２００−ｄを見ると分かるように、フレキシブル波形またはフレキシブルキャリア帯域幅が別の波形またはキャリア帯域幅内に完全に含められてもよい。このオーバーラップは、２つの波形またはキャリア帯域幅が完全に一致するとは限らないので、この場合も部分的なオーバーラップを反映する。一般に、部分的なオーバーラップは、２つ以上の波形またはキャリア帯域幅が完全に一致するとは限らない（すなわち、これらのキャリア帯域幅は同じではない）ことを意味し得る。
【００６２】
いくつかの実施形態では電力スペクトル密度（ＰＳＤ）に基づくオーバーラップの様々な定義を利用してよい。たとえば、ＰＳＤに基づくオーバーラップの１つの定義は、第１のキャリアに関する以下のオーバーラップ方程式に示される。
【数１】
2014533064.tif 000003
【００６３】
この方程式では、ＰＳＤ１（ｆ）は第１の波形またはキャリア帯域幅のＰＳＤであり、ＰＳＤ２（ｆ）は第２の波形またはキャリア帯域幅のＰＳＤである。２つの波形またはキャリア帯域幅が一致するとき、オーバーラップ方程式は１００％に等しくてもよい。第１の波形またはキャリア帯域幅と第２の波形またはキャリア帯域幅が少なくとも部分的にオーバーラップするとき、オーバーラップ方程式は１００％に等しくなくてもよい。たとえば、オーバーラップ方程式によって、いくつかの実施形態では１％、２％、５％、および／または１０％以上の部分的なオーバーラップが生じ得る。オーバーラップ方程式によって、いくつかの実施形態では９９％、９８％、９５％、および／または９０％以下の部分的なオーバーラップが生じ得る。第１の波形またはキャリア帯域幅が通常波形または通常キャリア帯域幅であり、第２の波形またはキャリア帯域幅が、通常帯域幅または通常キャリア帯域幅内に含まれるフレキシブル波形またはフレキシブルキャリア帯域幅である場合、オーバーラップ方程式が、百分率で書かれる、通常帯域幅に対するフレキシブル帯域幅の比を表すことに留意されたい。さらに、オーバーラップ方程式は、どのキャリア帯域幅の観点に対して公式化されているかに依存してよい。いくつかの実施形態はオーバーラップの他の定義を利用してよい。場合によっては、以下の方程式のような平方根演算を利用して別のオーバーラップを定義してもよい。
【数２】
2014533064.tif 000004
【００６４】
他の実施形態は、複数のオーバーラップするキャリアを考慮することのできる他のオーバーラップ方程式を利用してよい。
【００６５】
図３は、様々な実施形態による基地局１０５−ｃとモバイルデバイス１１５−ｃおよび１１５−ｄとを有するワイヤレス通信システム３００を示す。いくつかの実施形態では、基地局１０５−ｃは、通常キャリア帯域幅および／またはフレキシブルキャリア帯域幅における順方向リンクブランキングおよび／または電力ブースティングを調整するように構成されてもよい。たとえば、モバイルデバイス１１５−ｃ／１１５−ｄと基地局１０５−ａとの間の送信３０５−ａおよび／または３０５−ｂは、通常波形の帯域幅とオーバーラップしてもよいフレキシブル波形の帯域幅を利用することができ、部分的にオーバーラップする通常波形または部分的にオーバーラップするフレキシブル波形などの他の構成が可能である。基地局１０５ーｃは、この干渉の影響を軽減する助けとすることができる順方向リンクブランキングおよび／または電力ブースティングを調整してもよい。いくつかの実施形態では、基地局１０５−ｃは、別の基地局（図示せず）と調整して通常キャリア帯域幅および／またはフレキシブルキャリア帯域幅における順方向リンクブランキングおよび／または電力ブースティングを調整するように構成されてもよい。
【００６６】
モバイルデバイス１１５−ｃ／１１５−ｄと基地局１０５−ａとの間の送信３０５−ａおよび／または３０５−ｂは、通常波形よりも狭い（またはより広い）帯域幅を占有するように生成され得るフレキシブル波形を利用することができる。たとえば、帯域エッジには、通常波形を配置するのに十分な利用可能なスペクトルがないことがある。フレキシブル波形の場合、時間が遅らされたときに、波形によって占有される周波数が低くなり、したがって、通常波形をはめ込めるほど広くない場合があるスペクトルにフレキシブル波形をはめ込むことが可能になる。いくつかの実施形態において、フレキシブル波形は、通常波形に対してスケーリングファクタＮを利用してスケーリングされてもよい。スケーリングファクタＮは、限定はしないが、１、２、３、４、８などの整数を含む多数の様々な値をとってもよい。しかしながら、Ｎは整数である必要はない。
【００６７】
いくつかの実施形態はさらなる用語を利用することがある。新しい単位Ｄを利用することがある。単位Ｄは遅らされる。この単位は無名数であり、値がＮである。「遅れる時間」に関してはフレキシブルシステムにおける時間を考察することができる。たとえば、通常時間でたとえば１０ｍｓのスロットはフレキシブル時間では１０Ｄｍｓとして表してよい（注：通常時間でも、このことは成り立つ。その理由は通常時間ではＮ＝１であるからである。Ｄは値が１であり、したがって、１０Ｄｍｓ＝１０ｍｓ）。時間スケーリングでは、大部分の「秒」を「遅れた秒」で置き換えてもよい。ヘルツの周波数が１／ｓであることに留意されたい。
【００６８】
上述のように、フレキシブル波形は通常波形よりも狭い帯域幅を占有する波形であってもよい。したがって、フレキシブル帯域幅システムでは、通常帯域幅システムと比較して、同じ数のシンボルおよびビットをより長い持続時間をかけて送信することができる。このため、時間ストレッチを行うことができ、それによって、スロット持続時間、フレーム持続時間などをスケーリングファクタＮだけ延ばすことができる。スケーリングファクタＮは、フレキシブル帯域幅（ＢＷ）に対する通常帯域幅の比を表し得る。したがって、フレキシブル帯域幅システムにおけるデータレートは（通常レートｘ１／Ｎ）に等しくてもよく、遅延は（通常遅延ｘＮ）に等しくてもよい。一般に、フレキシブルシステムチャネルＢＷ＝通常システムのチャネルＢＷ／Ｎである。遅延ｘＢＷは不変であってよい。さらに、いくつかの実施形態では、フレキシブル波形は通常波形よりも広い帯域幅を占有する波形であってもよい。
【００６９】
本明細書全体にわたって、通常システム、通常サブシステム、および／または通常波形という用語を利用して、１に等しくてもよい（たとえば、Ｎ＝１）かまたは通常チップレートもしくは標準チップレートに等しくてもよいスケーリングファクタを利用することができる実施形態を伴うシステム、サブシステム、および／または波形に言及することがある。これらの通常システム、サブシステム、および／または波形は、標準システムおよび／またはレガシーシステム、標準サブシステムおよび／またはレガシーサブシステム、ならびに／あるいは標準波形および／またはレガシー波形と呼ばれることもある。さらに、フレキシブルシステム、フレキシブルサブシステム、および／またはフレキシブル波形を利用して、１に等しくなくてよい（たとえば、Ｎ＝２、４、８、１／２、１／４など）スケーリングファクタを利用することができる実施形態を伴うシステム、サブシステム、および／または波形に言及することがある。Ｎ＞１であるかまたはチップレートを低くした場合、波形の帯域幅を小さくすることができる。いくつかの実施形態は、帯域幅を大きくするスケーリングファクタまたはチップレートを利用することができる。たとえば、Ｎ＜１であるかまたはチップレートを高くした場合、通常波形よりも大きい帯域幅をカバーするように波形を拡張することができる。フレキシブルシステム、フレキシブルサブシステム、および／またはフレキシブル波形は場合によっては、フラクショナルシステム、フラクショナルサブシステム、および／またはフラクショナル波形と呼ばれることがある。フラクショナルシステム、フラクショナルサブシステム、および／またはフラクショナル波形はたとえば、帯域幅を変更することもまたは変更しないこともある。分数システム、分数サブシステム、または分数波形は、フレキシブルシステム、フレキシブルサブシステム、またはフレキシブル波形であってもよい。その理由はフラクショナルシステム、フラクショナルサブシステム、またはフラクショナル波形が通常もしくは標準システム、通常もしくは標準サブシステム、または通常もしくは標準波形よりも多くの可能性をもたらし得るからである（たとえば、Ｎ＝１システム）。
【００７０】
フレキシブル波形は、通常波形よりも狭い帯域幅を占有する波形を含んでよい（いくつかの実施形態では、フレキシブル波形は通常波形よりも広い帯域幅を占有する波形を含んでもよい）。たとえば、帯域エッジには、通常波形を配置するのに十分な利用可能なスペクトルがないことがある。通常波形とは異なり、通常波形とフレキシブル波形との間には部分的なオーバーラップがあってもまたは完全なオーバーラップがあってもよい。フレキシブル波形はシステム容量を増大させ得ることに留意されたい。オーバーラップの程度とフレキシブル波形の帯域幅との兼ね合いがとられてもよい。このオーバーラップがさらなる干渉を生じさせることがある。各実施形態は、方法、システム、および／またはデバイスを対象としてよく、かつ干渉を低減させることを目的としてよい。
【００７１】
各実施形態は通常帯域幅システムおよび／またはフレキシブル帯域幅システムにおいて調整された順方向リンクブランキングおよび／または調整された電力ブースティングを利用してよい。いくつかの実施形態では、通常帯域幅システムおよび／またはフレキシブル帯域幅システムがコロケートされる。スケジューリングは他のシステムに関する情報に基づいて行われてよい。通常帯域幅システムおよび／またはフレキシブル帯域幅システムは絶対時間スケールにおいて同期させてもよく、および／または時間オフセットの値はアプリオリに判明する。状況によっては、通常帯域幅システムには高い負荷が課されない。状況によっては、通常帯域幅システムおよび／またはフレキシブル帯域幅システムのトラフィックパターンは同一ではなく、したがって、この２つのシステムにおけるピークは揃わない。
【００７２】
いくつかの実施形態では、フレキシブル帯域幅システムが通常帯域幅システムと完全にオーバーラップしてもよい。いくつかの実施形態では、フレキシブル帯域幅システムと通常帯域幅システムのスペクトルが部分的にオーバーラップしてもよい。たとえば、Ｃ２ＫまたはＵＭＴＳのフレキシブル波形と通常波形は完全にオーバーラップしてもまたは部分的にオーバーラップしてもよい。別の例では、ＵＭＴＳの２つの通常全波形が部分的にオーバーラップしてもよい。
【００７３】
いくつかの実施形態は様々な通常帯域幅システムおよび／またはフレキシブル帯域幅システムに対してスケーリングファクタを利用してもよい。たとえば、より単純な実装形態のスケーリングファクタは、Ｎ＝１、２、４、８、１６などの整数値を利用してもよい。どのスロットをブランクにすべきかに関して依然としてスケジューリングを行うことができるように、２のべき乗（または２の倍数）ではないＮの他の値を利用してもよい。図４は、様々な実施形態による通常帯域幅システムおよびフレキシブル帯域幅システムの異なるフレーム構造の一例４００を示す。たとえば、データを有する通常帯域幅システム（Ｎ＝１）がフレーム構造４１０に示されている。アイドル部分を有する通常帯域幅システム（Ｎ＝１）が例４２０に示されている。単に一例として、データを有するＮ＝２フレキシブル帯域幅システムのフレキシブル構造の例４２０も示されている。例４２０は、このフレキシブル帯域幅システムの場合どのようにすればフレーム構造をＮ＝２だけ伸ばせるかを示す。
【００７４】
ブランキングを使用すると、システム容量が無くなることがある。たとえば、一方のシステムのブランキングは、他方のシステム上の何らかの制御または場合によってはデータメッセージの送信を容易にするために、一方のシステムにおける１つまたは複数のスロットについては、現在サービスされているモバイルのＱｏＳ要件に影響を与えることなくスケジューリングされるデータがないことを意味する。これらのスロットでは依然として、空スロットの場合と同様にパイロット送信およびＭＡＣ送信を行うことができることに留意されたい。一方のシステムにおけるブランキングされたスロットは、他方のシステムにおける送信がスロットを４つおきに使用するインターレースされた送信であり得るときには連続する必要がないことに留意されたい。たとえば、フレキシブル帯域幅システム（Ｎ）における制御チャネルの８スロット送信を支援する通常帯域幅システムでは、通常帯域幅システムにおけるＮ回のＣＣサイクルごとの８＊Ｎスロットがアイドル状態である必要があり得る通常帯域幅システムがアイドル状態である必要があり得る。容量の損失は（０．８＊Ｎ）／（１６＊１６＊Ｎ）に等しくなることがある（すなわち、１／３２または３．１２５％であり、これはＮに依存しない場合がある）。容量の損失は、軽負荷システムないし中負荷システムでは吸収することができる。損失値は、Ｎが２のべき乗（または２の倍数）ではない場合に３．１２５％以外になり得る。場合によっては、ブランキングを利用する前にオーバーラップに関する何らかのしきい値を有することを望むことがある。
【００７５】
調整された順方向リンクブランキングを使用すると、アプリケーションのサービス品質（ＱｏＳ）要件が影響を受けることがある。たとえば、Ｎ＝１における１フレームが２６．６７ｍｓｅｃであり、１スロットが１．６７ｍｓｅｃである場合を検討する。いくつかのアプリケーション（たとえば、ＶｏｌＰ）は、短いパケット間遅延を必要とするので、ＱｏＳ要件とブランキングスケジュールの両方を満たしつつスケジューリングされない可能性がある。順方向リンクブランキングの影響は、場合によっては、「ブランキングされた」スロットに高優先度遅延敏感フローのみをスケジューリングさせることによって軽減され得る。Ｎの影響は、支援システムにおいてブランキングをどれだけ頻繁に行う必要があり得るかに関して生じる。Ｎの影響は、通常帯域幅システム支援システムにおけるあるブランキングインスタンスについてトラフィックがスケジューリングされない期間（すなわち、連続しなくてもよい８＊Ｎスロット）で表すことができる。ブランキング持続時間にわたる８＊ＮスロットのうちのＮ個のスロットが連続してもよい。支援されるシステムのＮがより大きい場合、この期間はより長くなり得るが頻度は少なくなる。Ｎがより小さい場合、この期間はより短くなり得るが頻度は多くなる。前述の例（Ｎ＝２）では、２回のＣＣサイクルおきに０．５＊２＊１６＝１６スロットフレームが失われることがある。場合によっては、スケジューリングがブランキングの持続時間の間比例公平スケジューリングから逸脱することがある。
【００７６】
調整された順方向リンクブランキングは、様々な異なる方法で拡張されてもよい。たとえば、ブランキングの持続期間は最短化されてもよい。このことは、制御オーバーヘッドに対してより少ないスロットを使用することによってフレキシブル帯域幅システムにおけるＣＣデータレートを高くすることを含んでもよい。たとえば、一実施形態では、７６．８ｋｂｐＤｓ（すなわち、ＣＣデータレートとしては７６．８／Ｎｋｂｐｓ）を使用してもよい。いくつかの実施形態は、フレキシブル帯域幅システムにおけるＣＣ情報に対する電力ブースティングを含んでもよい（たとえば、送信電力を同じ送信電力密度に必要な送信電力よりも多くする）。これによって、フレキシブル帯域幅システムにおけるより高いＣＣデータレートの信頼性の低下を補償することができる。通常帯域幅システムがすでにブランキングされているので、電力ブーストは通常帯域幅システムにさらなる干渉を生じさせ得ない。たとえば、通常帯域幅システムに対してブランキングが行われる場合を検討する。電力ブースティングは、ブランキング時に通常帯域幅システムにおいて高優先度遅延敏感フローをスケジューリングする必要がある場合には無効化されてもよい。さらに、いくつかの実施形態では、ブランキングを補償するために他の時間に通常帯域幅システム上でより多くの電力を利用してよい。図５は、様々な実施形態によるフレキシブル帯域幅システム５２０上の制御チャネル送信と調整される通常帯域幅システム５１０上の送信ブランキングの一例５００を示す。この例では、フレキシブル帯域幅システムに関してＮ＝２である。通常帯域幅システム５１０と一緒に示されているように、フレキシブル帯域幅システム５２０に関して制御送信５２５−ａ／５２５−ｂが行われるときに送信ブランキング５１５−ａ／５１５−ｂに起因する１つまたは複数のアイドルスロットが生じる。例５００には、通常帯域幅システム５１０用のユーザデータチャネル５３０および制御チャネル５３５−ａ／５３５−ｂ／５３５−ｃならびにフレキシブル帯域幅システム５２０用のユーザデータチャネル５４０も示されている。他の実施形態は、スロットの様々なフレームまたは部分を利用して制御チャネル情報および／またはユーザデータチャネル情報を送信してもよい。図５に示すように、１６個のスロットが１つのフレームを形成し、１６個のそのようなフレーム（すなわち、１６＊１６＝２５６スロット）が１つの制御チャネル（ＣＣ）サイクルを形成する。他の実施形態は、様々な制御チャネル（ＣＣ）サイクル当たりのスロット数、様々なタイミング、および／または様々なスケーリングファクタを利用してよい。
【００７７】
いくつかの実施形態は、上述のように通常帯域幅システム（または場合によってはフレキシブル帯域幅システム）上でソフトブランキングを利用してよい。ソフトブランキングは、たとえば基地局がスロットのデータ部分におけるハードブランキングとは異なり完全に静止するとは限らず、基地局が、たとえばソフトブランキングがない状態で基地局が有する送信量よりも少ない量を送信し得る状況を含んでもよい。ソフトブランキングは、ブランキング持続時間の少なくとも一部にわたって少なくとも優先度フローまたは遅延敏感フローを送信することを含んでよい。ソフトブランキングは送信電力を低減させることを含んでもよい。優先度フローまたは遅延敏感フローに加えて、たとえば、通常帯域幅システム上の「ブランキングされた」スロットにおいて他のフローをスケジューリングしてもよい。場合によっては、（通常の帯域幅システム上の）低下させた電力によってこれらのフローを送ってもよい。このことは、より良好なチャネル条件を有するモバイルデバイスをサービスするうえで適切である場合がある。いくつかの実施形態では、ハードブランキングの場合でも、パイロット送信および／またはＭＡＣ送信が存在してもよい。
【００７８】
コロケートされたシステムの場合、スケジューラに第１および第２の帯域幅システムの負荷情報が利用可能であってもよく、ブランキングはスロットレベルなどにおいてより細かい粒度で行われてもよい。ブランキングは、助けを必要とすることがある第２の帯域幅システムが第１の帯域幅システムに要求を送ることができ、第１の帯域幅システムが、たとえば理由を引用した肯定応答または拒絶によって応答することができる要求応答プロシージャによってトリガされてもよい。
【００７９】
いくつかの実施形態は、コロケートされていないフレキシブル帯域幅システムと通常帯域幅システムを利用してもよい。ブランキングの粒度は、非コロケートシステムについては、相対負荷情報が共有されない場合、比較的粗くてもよい。たとえば、ブランキングはあらかじめスケジューリングされた時刻に行われてもよい。この場合、トラフィック分布が異なることに起因して２つのシステムにおけるピークが同時に生じることはないと仮定してもよい。フレキシブルな非コロケート基地局は、たとえば、通常帯域幅基地局に、遠くのモバイルデバイスにデータを送りたい１つまたは複数の特定の時点でブランキングを行うことを要求してもよい。
【００８０】
各実施形態はいくつかの利点をもたらすことができる。たとえば、通常帯域幅システムにおけるブランキングは、通常帯域幅システムにおいてスケジューリングされたフローをなくし得るので、ＣＣ送信またはフレキシブル帯域幅システムにおける他の送信の信頼性を高めることができる。フレキシブルＣＣ送信に対する電力ブースティングは、フレキシブル帯域幅システムがＣＣ送信をより高速に行うことを可能にし、それによって、低下させずに使用スロット数を少なくし、および／またはＣＣデータレートが同じ値に維持される場合にはＣＣの信頼性を向上させることができる。電力ブースティングはまた、通常帯域幅システムがブランキングを行っている場合に通常帯域幅システムに対する干渉を生じさせ得ない。ブランキングと電力ブーストは同時に適用されてもまたは異なる時間に適用されてもよい。
【００８１】
いくつかの実施形態は、フレキシブル帯域幅システムにブランキングを含めてもよい。フレキシブル帯域幅システムにおけるブランキングは、通常帯域幅システム上に干渉を低減させるために行われてもよい。通常帯域幅システムにおける制御チャネルの８スロット送信を支援するフレキシブル帯域幅システム（Ｎ）では、フレキシブル帯域幅システムにおけるＣＣサイクルごとの（０．５＊１６）スロット（すなわち、１６＊１６スロット）がアイドル状態である必要があり得る。容量の損失は、この場合も（０．５＊１６）／（１６＊１６）である（すなわち、１／３２または３．１２５％であり、これはＮに依存しない場合がある）。したがって、システム容量の損失は、上述の通常帯域幅システムのブランキングを含めて見た場合には同じであり得る。したがって、支援システムがフレキシブルシステム（Ｎ）であり、支援されるシステムが通常システムであるとき、１つのスロット送信を支援するには１／Ｎスロットをブランキングする必要があることに留意されたい。システム容量の実効損失は、１つ未満のスロットをブランキングできない場合により多くなることがある。通常帯域幅システムとフレキシブル帯域幅システムのピーク負荷が時間整合されない場合、通常システムのブランキング周期とフレキシブルシステムのブランキング周期が交互に生じたりすることがある。いくつかの実施形態では、フレキシブル帯域幅システムは、ブランキングを補償するためにしばらくの間より多くの電力で送信を行ってもよい（ヘッドルームが利用可能である場合）。
【００８２】
ブランキングは制御チャネル（ＣＣ）送信を超えて拡張されてもよい（すなわち、データ送信に適用されてもよい）。支援システムにおけるシステム容量の損失は、どのくらいの数のスロットがブランキングされるかに依存することがある。データのブランキングおよび／または電力ブースティングは、適切な機会に行われてもよい。たとえば、ブランキングは電力ブースティングなしで利用されてもよい。一方のシステム上のトラフィックが少なくなったとき、そのシステムは、ある時間にのみブランキングを行い、他のある時間にそのシステムのすべてのトラフィックをバースト的に送信することができるように、そのシステムのトラフィックスロット割振りを管理してもよい。他方のシステムは、干渉が低減するので、第１のシステムのブランキングスロットの間より高いデータレートで送信を行ってもよい。
【００８３】
電力ブースティングは、場合によってはブランキングなしで利用されてもよい。たとえば、システムによって通常の電力を用いてサービスされているモバイルデバイスが基地局の近くにあることが分かっており、このモバイルデバイスがさらなる干渉を許容することができるとき、他方のシステムはその電力をブーストしてそのモバイルデバイスにより多くの電力をサービスすることができ、したがって、これによってより高いデータレートが得られる。１つの潜在的な問題は他のセルに干渉が生じる可能性があることである。このことは他のセルとの調整によって解消することができる。近接するセルに同様の条件が存在する場合、状況によってはさらなる干渉を許容することができる。他のセルは、状況によってはこのセルにその電力を特定のレベルまでブーストさせてもよい。電力ブーストは様々なファクタの関数であってもよい。たとえば、電力ブーストは、セル内干渉ファクタおよび／またはセル間干渉ファクタの関数であってもよい。一実施形態では、電力ブーストは、ｍｉｎ｛第１のシステム（セル内）に問題を生じさせずに可能な電力ブースト、両方のシステムの他のセル（セル間）に問題を生じさせずに可能な電力ブースト｝と等しくてもよいが、それに限定されない。
【００８４】
ブランキングと電力ブースティングは同時に利用されてもよい。一方のシステム上のトラフィックが少なくなったとき、そのシステムは、ある時間にのみブランキングを行い、他のある時間にそのシステムのすべてのトラフィックをバースト的に送信することができるように、そのシステムのトラフィックスロット割振りを管理してもよい。他方のシステムは、第１のシステムの他のセルに問題を生じさせずに、他方のシステムの電力出力を少なくとも、その電力が、完全にオーバーラップするスペクトルを２つのシステムに割り振ることができるように２つのシステムの元の電力の和と同等になる点まで増大させてもよい。部分的な割振りの場合、オーバーラップの比を考慮してもよい。他方のシステムは、その電力をどのくらいブーストしてよいかに関してそのシステムの他のセルと調整することが必要になることがある。
【００８５】
いくつかの実施形態において、送信機は、ブランキングのために送信を停止する代わりに、送信機の電力を低下させてもよい。その結果干渉レベルを変化させることができるので、データレートおよび電力ブーストに関する計算を考慮することが必要になることがある。
【００８６】
本明細書において説明するブランキングツールおよび／または電力ブースティングツールならびにブランキング技法および／または電力ブースティング技法は、同じ周波数で動作する２つの通常システムまたは２つのフレキシブルシステム（すなわち、コロケートされていない）に拡張されてもよい。単に一例として、２つのフレキシブルシステムは、スケーリングファクタＮ＝２を有する第１の分数システムとスケーリングファクタＮ＝４を有する第２のフレキシブルシステムとを含んでもよく、この例では、２つのシステムは、２つのスケーリングファクタ間の関係に起因して互いに助け合ってもよい。各実施形態は、アップリンクまたは順方向リンクのいずれかにおいて、フレキシブル送信の間に同時に通常ブランキングが行われるかまたは通常送信の間に同時にフレキシブルブランキングが行われるＴＤＤシステムに拡張されてもよい。
【００８７】
いくつかの実施形態では、一方のシステムにおけるデータブランキングが他方のシステムにおけるデータ送信のために行われてもよい。一方のシステムにおけるデータブランキングが他方のシステムにおける制御送信のために行われてもよい。一方のシステムにおける制御ブランキングが他方のシステムにおけるデータ送信のために行われてもよい。一方のシステムにおける制御ブランキングが他方のシステムにおける制御送信のために行われてもよい。
【００８８】
次に図６を参照すると、ブロック図に、様々な実施形態による干渉低減機能を含むデバイス６００が示されている。デバイス６００は、図１、図２、図３、図８、および／または図９の基地局１０５の各態様の一例であってもよい。デバイス６００は、プロセッサであってもよい。デバイス６００は、プロセッサであってもよい。デバイス６００は、受信機モジュール６０５、電力ブースティングモジュール６１０、ブランキングモジュール６１５、および／または送信機モジュール６２０を含んでもよい。これらの構成要素の各々は互いに通信してもよい。
【００８９】
デバイス６００のこれらの構成要素は、個別にまたは集合的に、ハードウェア中の適用可能な機能の一部または全部を実行するようになされた１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００９０】
受信機モジュール６０５は、デバイス６００が何を受信または送信したかに関する、パケット、データ、および／またはシグナリング情報などの情報を受信してもよい。受信された情報は、電力ブースティングモジュール６１０および／またはブランキングモジュール６１５によって様々な目的のために利用されてもよい。
【００９１】
受信機モジュール６０５は、ワイヤレス通信システムの第１のキャリア帯域幅および第２のキャリア帯域幅などの複数のキャリア帯域幅を識別するように構成されてもよい。第１のキャリア帯域幅は第２のキャリア帯域幅と少なくとも部分的にオーバーラップしてもよい。ブランキングモジュール６１５は、受信機モジュール６０５からのキャリア帯域幅情報を利用して第２のキャリア帯域幅にわたる同時送信の間に第１のキャリア帯域幅にわたる順方向リンク上の送信ブランキングを調整してもよい。
【００９２】
いくつかの実施形態では、ブランキングモジュール６１５は、第１のキャリア帯域幅にわたる送信ブランキングを、第２のキャリア帯域幅にわたる制御チャネル送信の間に行われるように調整してもよい。ブランキングモジュール６１５は、第２のキャリア帯域幅にわたる制御チャネル送信のタイミングを決定し、第２のキャリア帯域幅にわたる制御チャネル送信の決定されたタイミングに基づいて送信ブランキングを調整してもよい。ブランキングモジュール６１５は、第１のキャリア帯域幅にわたる送信ブランキングを、第２のキャリア帯域幅にわたるデータ送信の間に行われるように調整してもよい。ブランキングモジュール６１５は、データ送信をいつ行うことができるかおよび／または送信すべきデータの量など、第２のキャリア帯域幅にわたるデータ送信に関する態様を決定してもよい。ブランキングモジュール６１５は、送信ブランキングを、第２のキャリア帯域幅にわたるデータ送信の間に行われるように調整してもよい。いくつかの実施形態では、第２のキャリア帯域幅にわたる同時送信の間の第１のキャリア帯域幅にわたる順方向リンク上の調整された送信ブランキングは、少なくとも時刻または順方向リンクの負荷に基づいて変更される。
【００９３】
第１のキャリア帯域幅にわたるブランキングモジュール６１５によって調整された送信ブランキングと第２のキャリア帯域幅にわたる同時送信はコロケートされなくてもよい。第１のキャリア帯域幅にわたる調整された送信ブランキングと第２のキャリア帯域幅にわたる同時送信はコロケートされなくてもよい。第１のキャリア帯域幅にわたる調整された送信ブランキングは、事前スケジューリングされた時間に行われてもよい。ブランキングモジュール６１５によって調整された第１のキャリア帯域幅にわたる送信ブランキングと第２のキャリアを介した同時送信は絶対時刻または既知の時間オフセットに対して同期されてもよい。
【００９４】
いくつかの実施形態では、第１のキャリア帯域幅はフレキシブル帯域幅であり、第２のキャリア帯域幅は通常帯域幅である。いくつかの実施形態では、第１のキャリア帯域幅は第１のフレキシブル帯域幅であり、第２のキャリア帯域幅は第２のフレキシブル帯域幅である。いくつかの実施形態では、第１のキャリア帯域幅は通常帯域幅であり、第２のキャリア帯域幅はフレキシブル帯域幅である。いくつかの実施形態では、第１のキャリア帯域幅は第１の通常帯域幅であり、第２のキャリア帯域幅は第２の通常帯域幅である。いくつかの実施形態では、フレキシブル帯域幅キャリアが通常キャリア帯域幅と完全にオーバーラップするときのように、第１のキャリア帯域幅は第２のキャリア帯域幅と完全にオーバーラップしてもよい。いくつかの実施形態は、第３の帯域幅キャリアなどの追加のキャリア帯域幅に拡張されてもよい。
【００９５】
いくつかの実施形態では、少なくとも第１のキャリア帯域幅または第２のキャリア帯域幅は認可スペクトルを利用する。いくつかの実施形態では、第１のキャリア帯域幅と第２のキャリア帯域幅は異なる無線アクセス技法（ＲＡＴ）を利用する。たとえば、一実施形態では、第１のキャリア帯域幅がＬＴＥを利用し、一方、第２のキャリア帯域幅がＥＶ−ＤＯを利用するか、または第１のキャリア帯域幅がＥＶ−ＤＯを利用し、一方、第２のキャリア帯域幅がＬＴＥを利用する。
【００９６】
ブランキングモジュール６１５は、ハードブランキングを含む送信ブランキングを生成するように構成されてもよい。ハード送信ブランキングは、現在のフローを送信ブランキングの期間の間に送信されるようにスケジューリングすることを含んでもよい。ブランキングモジュール６１５は、ソフトブランキングを含む送信ブランキングを生成してもよい。ソフトブランキングは、送信ブランキングの期間の間に少なくとも優先度フローまたは遅延敏感フローを送信することを含んでもよい。ソフトブランキングは送信電力を低減させることを含んでもよい。調整されたソフト送信ブランキングは、調整されたソフト送信ブランキングの期間全体よりも短い調整されたソフト送信ブランキングの一部の間に送信を行うことを含んでもよい。
【００９７】
いくつかの実施形態は、受信機モジュール６０５を、ワイヤレス通信システムの第１のキャリア帯域幅と少なくとも部分的にオーバーラップする第２のキャリア帯域幅とは異なる第３のキャリア帯域幅を識別するように構成することをさらに含んでもよい。ブランキングモジュール６１５は、第１のキャリア帯域幅にわたる順方向リンク上の送信ブランキングを、第３のキャリア帯域幅にわたる同時送信の間に調整してもよい。第３のキャリア帯域幅またはそれよりも多くのキャリア帯域幅をこのように使用することをマルチキャリア実施形態と呼ぶことがある。これらのマルチキャリア実施形態はコロケートされてもまたは異なるロケーションに配置されてもよい。たとえば、コロケートされる場合、ブランキングは、すぐ近くのモバイルデバイスには利用されなくてもよく、一方、より遠くのモバイルデバイスには行われてもよい。近くのモバイルデバイスと遠くのモバイルデバイスの両方にサービスが必要である場合、近くのモバイルデバイスは、より低いレベルの信号を取り出してより遠くのモバイルデバイスに対する干渉を低減させることができるので、より小さいキャリア帯域幅上に配置されブランキングされてもよい。
【００９８】
電力ブースティングモジュール６１０は、第１のキャリア帯域幅にわたる送信ブランキングの間に第２のキャリア帯域幅にわたる送信電力を増大させるように構成されてもよい。いくつかの実施形態では、電力の増大と送信ブランキングは互いに独立に適用される。いくつかの実施形態では、電力の増大と送信ブランキングは一緒に適用される。いくつかの実施形態では、電力の増大と送信ブランキングはコロケートされたシステムにおいてアクティブ化される。いくつかの実施形態では、電力の増大と送信ブランキングはコロケートされたシステムの負荷に基づいてコロケートされたシステムにおいてアクティブ化される。第１のキャリア帯域幅にわたる調整された送信ブランキングは、スロットレベルで行われてもよい。いくつかの実施形態は、第２のキャリア帯域幅にわたる電力の増大を利用して少なくとも制御チャネルまたはデータチャネルの少なくともデータレートを高くすることを含む。いくつかの実施形態は、第１のキャリア帯域幅にわたる調整された送信ブランキングとは異なる期間の間に第１のキャリア帯域幅にわたる送信電力を増大させることを含む。第２のキャリア帯域幅にわたる同時送信を調整することは、第１のキャリア帯域幅が送信を行わない１つまたは複数のスロットの間に行われてもよい。いくつかの実施形態では、少なくとも、第１のキャリア帯域幅にわたる同時送信の間に第２のキャリア帯域幅にわたる順方向リンク上の送信ブランキングを調整することまたは第２のキャリア帯域幅にわたる順方向リンク上の調整された送信ブランキングの間に第１のキャリア帯域幅にわたる送信電力を増大させることは、第２のキャリア帯域幅または時刻に対する第１のキャリア帯域幅の相対的な負荷に少なくとも依存する。
【００９９】
いくつかの実施形態では、電力ブースティングモジュール６１０は、第１のキャリア帯域幅および第２のキャリア帯域幅がコロケートされないように第１のキャリア帯域幅および／または第２のキャリア帯域幅にわたる送信電力を増大させるようにさらに構成されてもよい。いくつかの実施形態では、電力ブースティングモジュール６１０は、いくつかの実施形態において送信電力の増大が事前スケジューリングされた時間に行われ得るようにさらに構成されてもよい。いくつかの実施形態は、受信機モジュール６０５が、送信電力を増大させることを特定の時間に調整するための要求を第２のキャリア帯域幅から受信するように構成されることをさらに含んでもよい。いくつかの実施形態では、第１のキャリア帯域幅システムは、第２のキャリア帯域幅からの要求を受け入れることに合意してもよく、場合によっては、第１のキャリア帯域幅は肯定応答メッセージまたは合意メッセージを送ってもよい。
【０１００】
いくつかの実施形態は、受信機モジュール６０５を、ワイヤレス通信システムの第３のキャリア帯域幅および第２のキャリア帯域幅を識別するように構成することであって、第２のキャリア帯域幅が第３のキャリア帯域幅と少なくとも部分的にオーバーラップすることをさらに含んでもよい。電力ブースティングモバイル６１０は、第２のキャリア帯域幅に対して第３のキャリア帯域幅にわたって順方向リンクのために送信電力を増大させることを調整してもよい。
【０１０１】
電力ブースティングモジュール６１０および／またはブランキングモジュール６１５のいくつかの実施形態は、少なくとも、第１のキャリア帯域幅にわたる同時送信の間に第２のキャリア帯域幅にわたる順方向リンク上の送信ブランキングを調整するかまたは第２のキャリア帯域幅にわたる送信ブランキングの間に第１のキャリア帯域幅にわたる送信電力を増大させるようにさらに構成されてもよい。少なくとも、第１のキャリア帯域幅にわたる同時送信の間に第２のキャリア帯域幅にわたる順方向リンク上の送信ブランキングを調整すること、第２のキャリア帯域幅にわたる送信ブランキングの間に第１のキャリア帯域幅にわたる送信電力を増大させること、第２のキャリア帯域幅にわたる同時送信の間に第１のキャリア帯域幅にわたる順方向リンク上の送信ブランキングを調整すること、または第１のキャリア帯域幅にわたる送信ブランキングの間に第２のキャリア帯域幅にわたる送信電力を増大させることは、時刻または順方向リンクのうちの少なくとも１つの負荷に基づいて変更されてもよい。
【０１０２】
第１のキャリア帯域幅にわたってブランキングモジュール６１５によって調整された送信ブランキングと第２のキャリアにわたる同時送信は、場合によってはコロケートされなくてもよい。ブランキングモジュール６１５は、送信ブランキングを事前スケジューリングされた時間に行われるように調整してもよい。いくつかの実施形態では、受信機モジュール６０５は、送信ブランキングを特定の時間に調整するための要求を受信するように構成されてもよい。
【０１０３】
いくつかの実施形態では、電力ブースティングモジュール６１０は、第２のキャリア帯域幅に対して第１のキャリア帯域幅にわたる送信電力を増大させることを調整してもよい。第１のキャリア帯域幅は第２のキャリア帯域幅と部分的にオーバーラップしてもよい。いくつかの実施形態は、電力ブースティングモジュール６１０が、送信ブランキングが第１のキャリア帯域幅にわたる同時送信の間に第２のキャリア帯域幅にわたって行われるようにブランキングモジュール６１５を調整させることをさらに含んでもよい。第１のキャリア帯域幅にわたる同時送信は、送信電力を増大させる間に行われてもよい。いくつかの実施形態では、電力ブースティングモジュール６１０は、少なくとも時刻または順方向リンクの負荷を判定してよく、電力ブースティングモジュール６１０は、第１のキャリア帯域幅にわたって順方向リンクのために送信電力を増大させることを、少なくとも、判定された時刻または順方向リンクの判定された負荷に基づいて、第２のキャリア帯域幅の変化に対して調整してもよい。
【０１０４】
いくつかの実施形態では、第１のキャリア帯域幅はフレキシブル帯域幅であり、第２のキャリア帯域幅は通常帯域幅である。いくつかの実施形態では、第１のキャリア帯域幅は第１のフレキシブル帯域幅であり、第２のキャリア帯域幅は第２のフレキシブル帯域幅である。いくつかの実施形態では、第１のキャリア帯域幅は通常帯域幅であり、第２のキャリア帯域幅はフレキシブル帯域幅である。いくつかの実施形態では、第１のキャリア帯域幅は第１の通常帯域幅であり、第２のキャリア帯域幅は第２の通常帯域幅である。
【０１０５】
いくつかの実施形態では、ブランキングモジュール６１５および／または受信機モジュール６０５は、第１のキャリア帯域幅にわたる順方向リンク上の調整された送信ブランキングおよび／または第２のキャリア帯域幅にわたる同時送信を受信するように構成されてもよい。ブランキングモジュール６１５および／または受信機モジュール６０５は、上記にデバイス６００に関して説明したように、調整された送信ブランキングおよび／または同時送信に関係する変形形態を受信するように構成されてもよい。いくつかの実施形態では、電力ブースティングモジュール６１０および／または受信機モジュール６０５は、あるキャリア帯域幅にわたって増大された送信電力を、別のキャリア帯域幅にわたる送信ブランキングの間に受信するように構成されてもよい。電力ブースティングモジュール６１５および／または受信機モジュール６０５は、上記にデバイス６００に関して説明したように、増大した送信電力に関係する変形形態を受信するように構成されてもよい。
【０１０６】
図７は、様々な実施形態による、フレキシブル帯域幅の使用を容易にするように構成されたモバイルデバイス１１５−ｅのブロック図７００である。モバイルデバイス１１５−ｅは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダなどのような、様々な構成のいずれかを有し得る。モバイルデバイス１１５−ｅは、モバイル動作を支援するために、小さなバッテリのような内部電源（図示せず）を有し得る。いくつかの実施形態では、モバイルデバイス１１５−ｅは、図１、図２、図３、図８、および／または図９のモバイルデバイス１１５ならびに／あるいは図６のデバイス６００であってもよい。電子デバイス１１５−ｅはマルチモードモバイルデバイスであり得る。モバイルデバイス１１５−ｅは、場合によってはワイヤレス通信デバイスと呼ばれることもある。
【０１０７】
モバイルデバイス１１５−ｅは、各々が、（たとえば、１つまたは複数のバスを介して）互いに、直接または間接的に通信することのできる、アンテナ７４０と、送受信機モジュール７５０と、メモリ７８０と、プロセッサモジュール７７０とを含んでもよい。トランシーバモジュール７５０は、上記で説明したように、アンテナ７４０ならびに／あるいは１つまたは複数のワイヤードもしくはワイヤレスリンクを介して、１つまたは複数のネットワークと双方向に通信するように構成される。たとえば、トランシーバモジュール７５０は、図１、図２、図３、図８、および／または図９の基地局１０５と双方向に通信するように構成され得る。トランシーバモジュール７５０は、パケットを変調し、変調されたパケットを送信のためにアンテナ７４０に供給し、アンテナ７４０から受信されたパケットを復調するように構成されたモデムを含み得る。モバイルデバイス１１５−ｅは単一のアンテナを含み得るが、モバイルデバイス１１５−ｅは通常、複数のリンクのための複数のアンテナ７４０を含む。
【０１０８】
メモリ７８０は、ランダムアクセスメモリ（ＲＡＭ）と読取り専用メモリ（ＲＯＭ）とを含み得る。メモリ７８０は、実行されたときにプロセッサモジュール７７０に本明細書で説明する様々な機能（たとえば、呼処理、データベース管理、メッセージルーティングなど）を実行させるように構成された命令を含むコンピュータ可読、コンピュータ実行可能ソフトウェアコード７８５を記憶し得る。代替的に、ソフトウェア７８５は、プロセッサモジュール７７０によって直接的に実行できないことがあるが、（たとえば、コンパイルされ実行されたときに）コンピュータに本明細書で説明する機能を実行させるように構成され得る。
【０１０９】
プロセッサモジュール７７０は、たとえば、Ｉｎｔｅｌ（登録商標）ＣｏｒｐｏｒａｔｉｏｎまたはＡＭＤ（登録商標）製のような中央演算処理装置（ＣＰＵ）、マイクロコントローラ、特定用途向け集積回路（ＡＳＩＣ）などのインテリジェントハードウェアデバイスを含み得る。プロセッサモジュール７７０は、マイクロフォンを介してオーディオを受信し、そのオーディオを、受信したオーディオを表す（たとえば、長さ３０ｍｓの）パケットに変換し、そのオーディオパケットをトランシーバモジュール７５０に供給し、ユーザが話しているかどうかの指示を与えるように構成された音声エンコーダ（図示せず）を含み得る。代替的に、エンコーダはパケットのみをトランシーバモジュール７５０に供給し、パケット自体を供給することまたは抑制／抑圧することが、ユーザが話しているかどうかを示し得る。
【０１１０】
図７のアーキテクチャによれば、モバイルデバイス１１５−ｅは、通信管理モジュール７６０をさらに含み得る。通信管理モジュール７６０は、他のモバイルデバイス１１５との通信を管理し得る。例として、通信管理モジュール７６０は、バスを介してモバイルデバイス１１５−ｅの他の構成要素の一部またはすべてと通信しているモバイルデバイス１１５−ｅの構成要素であり得る。代替的に、通信管理モジュール７６０の機能は、送受信機モジュール７５０の構成要素として実装され、コンピュータプログラム製品として実装され、および／またはプロセッサモジュール７７０の１つまたは複数のコントローラ要素として実装され得る。
【０１１１】
デバイス１１５−ｅのための構成要素は、図６のデバイス６００に関して上記で説明した態様を実装するように構成され得、簡潔のためにここでは繰り返さない場合がある。電力ブースティングモジュール６１０−ａは図６の電力ブースティングモジュール６１０であり得る。順方向リンクブランキングモジュール６１５−ａは図６のブランキングモジュール６１５であり得る。いくつかの実施形態では、ブランキングモジュール６１５−ａおよび／またはデバイス１１５−ｅの他の構成要素は、第１のキャリア帯域幅にわたる順方向リンク上の調整された送信ブランキングおよび／または第２のキャリア帯域幅にわたる同時送信を受信するように構成されてもよい。ブランキングモジュール６１５−ａおよび／またはデバイス１１５−ｅの他の構成要素は、上記にデバイス６００に関して説明したように、調整された送信ブランキングおよび／または同時送信に関係する変形形態を受信するように構成されてもよい。いくつかの実施形態では、電力ブースティングモジュール６１０−ａおよび／またはデバイス１１５−ｅの他の構成要素は、あるキャリア帯域幅にわたって増大された送信電力を、別のキャリア帯域幅にわたる送信ブランキングの間に受信するように構成されてもよい。電力ブースティングモジュール６１０−ａおよび／またはデバイス１１５−ｅの他の構成要素は、上記にデバイス６００に関して説明したように、増大した送信電力に関係する変形形態を受信するように構成されてもよい。
【０１１２】
モバイルデバイス１１５−ｅはスペクトル識別モジュール７１５を含んでもよい。スペクトル識別モジュール７１５は、フレキシブル波形に利用できるスペクトルを識別するのに利用されてもよい。いくつかの実施形態では、ハンドオーバモジュール７２５を利用してある基地局から別の基地局へのモバイルデバイス１１５−ｅのハンドオーバプロシージャを実行してもよい。たとえば、ハンドオーバモジュール７２５は、ある基地局から別の基地局へのモバイルデバイス１１５−ｅのハンドオーバプロシージャを実行してもよく、この場合、モバイルデバイス１１５−ｅと１つの基地局との間で通常波形が利用され、モバイルデバイスと別の基地局との間でフレキシブル波形が利用される。スケーリングモジュール７１０を利用して、フレキシブル波形を生成するようにチップレートをスケーリングしおよび／または変更してもよい。
【０１１３】
いくつかの実施形態において、トランシーバモジュール７５０は、アンテナ７４０と連携して、モバイルデバイス１１５−ｅの他の考えられる構成要素とともに、フレキシブル波形および／またはスケーリングファクタに関する情報をモバイルデバイス１１５−ｅから基地局またはコアネットワークに送信してもよい。いくつかの実施形態において、トランシーバモジュール７５０は、アンテナ７４０と連携して、モバイルデバイス１１５−ｅの他の考えられる構成要素とともに、フレキシブル波形および／またはスケーリングファクタなどの情報を基地局またはコアネットワークに、これらのデバイスまたはシステムがフレキシブル波形を利用できるように送信してもよい。
【０１１４】
図８は、様々な実施形態によるフレキシブル波形を利用するように構成することのできる通信システム８００のブロック図を示す。このシステム８００は、たとえば、図１に示すシステム１００、図２のシステム２００、図３のシステム３００、および／または図９のデバイス９００の態様の一例であり得る。基地局１０５−ｅは、各々が、（たとえば、１つまたは複数のバスを介して）互いに直接または間接的に通信することができる、アンテナ８４５と、トランシーバモジュール８５０と、メモリ８７０と、プロセッサモジュール８６５とを含み得る。トランシーバモジュール８５０は、アンテナ８４５を介して、マルチモードモバイルデバイスであってもよいモバイルデバイス１１５−ｆと双方向に通信するように構成され得る。トランシーバモジュール８５０（および／または基地局１０５−ｅの他の構成要素）はまた、１つまたは複数のネットワークと双方向に通信するように構成され得る。場合によっては、基地局１０５−ｅは、ネットワーク通信モジュール８７５を通してネットワーク１３０−ａおよび／またはコントローラ１２０−ａと通信し得る。基地局１０５−ｅは、ｅノードＢ基地局、ホームｅノードＢ基地局、ノードＢ基地局、および／またはホームノードＢ基地局の一例であり得る。コントローラ１２０−ａは、場合によっては、ｅノードＢ基地局などの基地局１０５−ｅに組み込まれてもよい。
【０１１５】
基地局１０５−ｅは、基地局１０５−ｍおよび基地局１０５−ｎなどの他の基地局１０５と通信してもよい。基地局１０５の各々は、様々な無線アクセス技法などの様々なワイヤレス通信技法を使用してモバイルデバイス１１５−ｆと通信してもよい。場合によっては、基地局１０５−ｅは、基地局通信モジュール８１５を利用して１０５−ｍおよび／または１０５−ｎなどの他の基地局と通信してもよい。いくつかの実施形態では、基地局通信モジュール８１５は、ＬＴＥワイヤレス通信技法内のＸ２インターフェースを構成していくつかの基地局１０５間の通信を可能にしてもよい。いくつかの実施形態では、基地局１０５−ｅはコントローラ１２０−ａおよび／またはネットワーク１３０−ａを介して他の基地局と通信してもよい。
【０１１６】
メモリ８７０は、ランダムアクセスメモリ（ＲＡＭ）と読取り専用メモリ（ＲＯＭ）とを含み得る。メモリ８７０はまた、実行されたときにプロセッサモジュール８６５に本明細書で説明する様々な機能（たとえば、呼処理、データベース管理、メッセージルーティングなど）を実行させるように構成された命令を含んでいるコンピュータ可読、コンピュータ実行可能ソフトウェアコード８７１を記憶し得る。代替的に、ソフトウェア８７１は、プロセッサモジュール８６５によって直接的に実行できないことがあるが、たとえば、コンパイルされ実行されたときにコンピュータに本明細書で説明する機能を実行させるように構成され得る。
【０１１７】
プロセッサモジュール８６５は、たとえば、Ｉｎｔｅｌ（登録商標）ＣｏｒｐｏｒａｔｉｏｎまたはＡＭＤ（登録商標）製のような中央演算処理装置（ＣＰＵ）、マイクロコントローラ、特定用途向け集積回路（ＡＳＩＣ）などのインテリジェントハードウェアデバイスを含み得る。プロセッサモジュール８６５は、マイクロフォンを介してオーディオを受信し、そのオーディオを、受信したオーディオを表す（たとえば、長さ３０ｍｓの）パケットに変換し、そのオーディオパケットをトランシーバモジュール８５０に供給し、ユーザが話しているかどうかの指示を与えるように構成された音声エンコーダ（図示せず）を含み得る。代替的に、エンコーダはパケットのみをトランシーバモジュール８５０に供給し、パケット自体を供給することまたは抑制／抑圧することが、ユーザが話しているかどうかを示し得る。
【０１１８】
トランシーバモジュール８５０は、パケットを変調し、変調されたパケットを送信のためにアンテナ８４５に供給し、アンテナ８４５から受信されたパケットを復調するように構成されたモデムを含み得る。基地局１０５−ｅのいくつかの例は単一のアンテナ８４５を含み得るが、基地局１０５−ｅは、好ましくは、キャリアアグリゲーションをサポートし得る複数のリンクのための複数のアンテナ８４５を含む。たとえば、モバイルデバイス１１５−ｆとのマクロ通信をサポートするために１つまたは複数のリンクが使用され得る。
【０１１９】
図８のアーキテクチャによれば、基地局１０５−ｅは通信管理モジュール８３０をさらに含み得る。通信管理モジュール８３０は、他の基地局１０５との通信を管理し得る。例として、通信管理モジュール８３０は、バスを介して基地局１０５−ｅの他の構成要素の一部またはすべてと通信する基地局１０５−ｅの構成要素であり得る。代替的に、通信管理モジュール８３０の機能は、トランシーバモジュール８５０の構成要素として実装され、コンピュータプログラム製品として実装され、および／またはプロセッサモジュール８６５の１つまたは複数のコントローラ要素として実装され得る。
【０１２０】
デバイス１０５−ｅのための構成要素は、図６のデバイス６００に関して上記で説明した態様を実装するように構成され得、簡潔のためにここでは繰り返さない場合がある。電力ブースティングモジュール６１０−ｂは図６の電力ブースティングモジュール６１０であり得る。順方向リンクブランキングモジュール６１５−ｂは図１１のブランキングモジュール６１５であり得る。
【０１２１】
基地局１０５−ｅはスペクトル識別モジュール８１５を含んでもよい。スペクトル識別モジュール８１５は、フレキシブル波形に利用できるスペクトルを識別するのに利用されてもよい。いくつかの実施形態では、ハンドオーバモジュール８２５を利用してある基地局１０５から別の基地局へのモバイルデバイス１１５−ｆのハンドオーバプロシージャを実行してもよい。たとえば、ハンドオーバモジュール８２５は、基地局１０５−ｅから別の基地局へのモバイルデバイス１１５−ｆのハンドオーバプロシージャを実行してもよく、この場合、モバイルデバイス１１５−ｆと１つの基地局との間で通常波形が利用され、モバイルデバイスと別の基地局との間でフレキシブル波形が利用される。スケーリングモジュール８１０を利用して、フレキシブル波形を生成するようにチップレートをスケーリングしおよび／または変更してもよい。
【０１２２】
いくつかの実施形態では、トランシーバモジュール８５０は、アンテナ８４５と連携して、基地局１０５−ｅの他の考えられる構成要素とともに、フレキシブル波形および／またはスケーリングファクタに関する情報を基地局１０５−ｅからモバイルデバイス１１５−ｆ、他の基地局１０５−ｍ／１０５−ｎ、またはコアネットワーク１３０−ａに送信してもよい。いくつかの実施形態では、トランシーバモジュール８５０は、アンテナ８４５と連携して、基地局１０５−ｅの他の考えられる構成要素とともに、フレキシブル波形および／またはスケーリングファクタなどの情報をモバイルデバイス１１５−ｆ、他の基地局１０５−ｍ／１０５−ｎ、またはコアネットワーク１３０−ａに、これらのデバイスまたはシステムがフレキシブル波形を利用できるように送信してもよい。
【０１２３】
図９は、様々な実施形態による、基地局１０５−ｆとモバイルデバイス１１５−ｇとを含むシステム９００のブロック図である。このシステム９００は、図１のシステム１００、図２のシステム２００、図３のシステム３００、および／または図８のデバイス８００の一例であり得る。基地局１０５−ｆは、アンテナ９３４−ａ〜９３４−ｘを搭載してもよく、モバイルデバイス１１５−ｇはアンテナ９５２−ａ〜９５２−ｎを搭載してもよい。基地局１０５−ｆにおいて、送信プロセッサ９２０がデータソースからデータを受信してもよい。
【０１２４】
送信プロセッサ９２０はデータを処理してもよい。送信プロセッサ９２０はまた、基準シンボルとセル固有基準信号とを生成し得る。送信（ＴＸ）ＭＩＭＯプロセッサ９３０は、空間処理（たとえば、プリコーディング）が適用可能な場合にはデータシンボル、制御シンボル、および／または基準シンボルに対して空間処理を実行し得、出力シンボルストリームを送信変調器９３２−ａ〜９３２−ｘに与え得る。各変調器９３２は、（たとえば、ＯＦＤＭなどのために）それぞれの出力シンボルストリームを処理して、出力サンプルストリームを取得し得る。各変調器９３２はさらに、出力サンプルストリームを処理（たとえば、アナログへの変換、増幅、フィルタ処理、およびアップコンバート）して、ダウンリンク（ＤＬ）信号を取得し得る。一例では、変調器９３２−ａ〜９３２−ｘからのＤＬ信号は、それぞれアンテナ９３４−ａ〜９３４−ｘを介して送信され得る。処理モジュール９２０はまた、プロセッサ９４０から情報を受信し得る。プロセッサ９４０はメモリ９４２に結合され得る。プロセッサ９４０は、チップレートを変更しおよび／またはスケーリングファクタを利用することによってフレキシブル波形を生成するように構成されてもよい。いくつかの実施形態では、プロセッサモジュール９４０は、通常帯域幅システムおよび／またはフレキシブル帯域幅システムにおける順方向リンクブランキングおよび／または電力ブースティングを調整するように構成されてもよい。たとえば、モバイルデバイス１１５−ｇと基地局１０５−ｆとの間の送信は、通常波形の帯域幅とオーバーラップしてもよいフレキシブル波形の帯域幅を利用することができる。プロセッサ９４０は、この干渉の影響を軽減する助けとすることができる順方向リンクブランキングおよび／または電力ブースティングを調整してもよい。
【０１２５】
モバイルデバイス１１５−ｇにおいて、モバイルデバイスアンテナ９５２−ａ〜９５２−ｎは、基地局１０５−ｆからＤＬ信号を受信してもよく、かつ受信した信号をそれぞれ復調器９５４−ａ〜９５４−ｎに供給してもよい。各復調器９５４は、入力サンプルを得るために、それぞれの受信信号を調節（たとえば、フィルタリング、増幅、ダウンコンバート、およびデジタル化）してもよい。各復調器９５４はさらに、（たとえば、ＯＦＤＭなどの）入力サンプルを処理して受信シンボルを取得し得る。ＭＩＭＯ検出器９５６は、すべての復調器９５４−ａ〜９５４−ｎから受信シンボルを取得し、ＭＩＭＯ検出が適用可能な場合は受信シンボルに対してＭＩＭＯ検出を実行し、検出されたシンボルを与え得る。受信プロセッサ９５８が、検出されたシンボルを処理（たとえば、復調、デインターリーブ、および復号）し、モバイルデバイス１１５−ｇの復号されたデータをデータ出力に送り、復号された制御情報をプロセッサ９８０、またはメモリ９８２に与え得る。
【０１２６】
アップリンク（ＵＬ）または逆方向リンク上では、ユーザ機器１１５−ｇにおいて、送信機プロセッサ９６４がデータソースからデータを受信し、処理し得る。送信機プロセッサ９６４はまた、基準信号のための基準シンボルを生成し得る。送信機プロセッサ９６４からのシンボルは、適用可能な場合には送信ＭＩＭＯプロセッサ９６６によってプリコーディングされ、（たとえばＳＣ−ＦＤＭＡなどのために）復調器９５４−ａ〜９５４−ｎによってさらに処理され、基地局１０５−ｆから受信された送信パラメータに従って基地局１０５−ｆに送信されてもよい。送信機プロセッサ９６４は、チップレートを変更しおよび／またはスケーリングファクタを利用することによってフレキシブル波形を生成するように構成されてもよく、このことは場合によっては動的に行われてもよい。送信モジュール９６４はまた、プロセッサ９８０から情報を受信し得る。プロセッサ９８０は、様々な整合プロシージャおよび／またはオフセットプロシージャを実現することができる。プロセッサ９８０は、スケーリング情報および／またはチップレート情報を利用して他のサブシステム上で測定を実行したり、他のサブシステムへのハンドオフを実行したり、再選択を実行したりしてもよい。プロセッサ９８０は、パラメータスケーリングによってフレキシブル帯域幅の使用に関連するタイムストレッチの効果を反転させてもよい。基地局１０５−ｆにおいて、モバイルデバイス１１５−ｇからのＵＬ信号は、アンテナ９３４によって受信され、復調器９３２によって処理され、ＭＩＭＯ検出器９３６による検出が適用可能な場合はＭＩＭＯ検出器９３６によって検出され、さらに受信プロセッサによって処理され得る。受信プロセッサ９３８は、復号されたデータをデータ出力とプロセッサ９８０とに供給し得る。いくつかの実施形態では、プロセッサ９８０は汎用プロセッサ、送信機プロセッサ９６４、および／または受信機プロセッサ９５８の一部として実装されてもよい。
【０１２７】
いくつかの実施形態では、プロセッサ９８０は、通常帯域幅システムおよび／またはフレキシブル帯域幅システムにおける調整された順方向リンクブランキングおよび／または電力ブースティングを受信するように構成されてもよい。たとえば、モバイルデバイス１１５−ｇと基地局１０５−ｆとの間の送信は、通常波形の帯域幅とオーバーラップしてもよいフレキシブル波形の帯域幅を利用することができる。基地局９４０は、この干渉の影響を軽減する助けとすることができる調整された順方向リンクブランキングおよび／または電力ブースティングを受信するように構成されてもよい。
【０１２８】
図１０Ａは、様々な実施形態による、ワイヤレス通信システム内の干渉を低減させるための方法１０００−ａのフローチャート。方法１０００−ａは、限定はしないが、図１、図２、図３、図７、図８、および／または図９に見られるようなモバイルデバイス１１５、図１、図２、図３、図８、および／または図９に見られるような基地局１０５、図１および／または図８に見られるようなコアネットワーク１３０またはコントローラ１２０、ならびに／あるいは図６のデバイス６００を含む様々なワイヤレス通信デバイスを利用して実装されてもよい。
【０１２９】
ブロック１００５において、ワイヤレス通信システムの第１のキャリア帯域幅と第２のキャリア帯域幅が識別されてもよい。第１のキャリア帯域幅は第２のキャリア帯域幅と部分的に少なくともオーバーラップしてもよい。ブロック１０１０において、第２のキャリア帯域幅にわたる同時送信の間に第１のキャリア帯域幅にわたる順方向リンク上の送信ブランキングが調整されてもよい。
【０１３０】
いくつかの実施形態では、第１のキャリア帯域幅にわたる送信ブランキングが、第２のキャリア帯域幅にわたる制御チャネル送信の間に行われてもよい。第２のキャリア帯域幅にわたる制御チャネル送信のタイミングが決定されてもよく、送信ブランキングを調整することは、第２のキャリア帯域幅にわたる制御チャネル送信の決定されたタイミングに基づいてもよい。いくつかの実施形態では、第１のキャリア帯域幅にわたる送信ブランキングが、第２のキャリア帯域幅にわたるデータ送信の間に行われてもよい。データ送信をいつ行い得るかおよび／または送信すべきデータの量などの、第２のキャリア帯域幅にわたるデータ送信の態様が決定されてもよい。決定された情報を利用して、送信ブランキングを、第２のキャリア帯域幅にわたるデータ送信の間に行われるように調整してもよい。いくつかの実施形態では、第２のキャリア帯域幅にわたる同時送信の間の第１のキャリア帯域幅にわたる順方向リンク上の調整された送信ブランキングは、少なくとも時刻または順方向リンクの負荷に基づいて変更される。
【０１３１】
第１のキャリア帯域幅にわたる送信ブランキングと第２のキャリアにわたる同時送信はコロケートされてもよい。第１のキャリア帯域幅にわたる調整された送信ブランキングと第２のキャリア帯域幅にわたる同時送信はコロケートされなくてもよい。第１のキャリア帯域幅にわたる調整された送信ブランキングは、事前スケジューリングされた時間に行われてもよい。第１のキャリア帯域幅にわたる送信ブランキングと第２のキャリアにわたる同時送信は、絶対時刻または既知の時間オフセットに対して同期されてよい。
【０１３２】
いくつかの実施形態では、第１のキャリア帯域幅はフレキシブル帯域幅であり、第２のキャリア帯域幅は通常帯域幅である。いくつかの実施形態では、第１のキャリア帯域幅は第１のフレキシブル帯域幅であり、第２のキャリア帯域幅は第２のフレキシブル帯域幅である。いくつかの実施形態では、第１のキャリア帯域幅は通常帯域幅であり、第２のキャリア帯域幅はフレキシブル帯域幅である。いくつかの実施形態では、第１のキャリア帯域幅は第１の通常帯域幅であり、第２のキャリア帯域幅は第２の通常帯域幅である。いくつかの実施形態では、フレキシブル帯域幅キャリアが通常キャリア帯域幅と完全にオーバーラップするときのように、第１のキャリア帯域幅は第２のキャリア帯域幅と完全にオーバーラップしてもよい。
【０１３３】
いくつかの実施形態では、少なくとも第１のキャリア帯域幅または第２のキャリア帯域幅は認可スペクトルを利用する。いくつかの実施形態では、第１のキャリア帯域幅と第２のキャリア帯域幅は異なる無線アクセス技法（ＲＡＴ）を利用する。たとえば、一実施形態では、第１のキャリア帯域幅がＬＴＥを利用し、一方、第２のキャリア帯域幅がＥＶ−ＤＯを利用する。
【０１３４】
いくつかの実施形態では、送信ブランキングはハードブランキングを含んでもよい。ハードブランキングは、現在のフローを送信ブランキングの期間の間に送信されるようにスケジューリングすることを含んでもよい。送信ブランキングはソフトブランキングを含んでもよい。ソフトブランキングは、送信ブランキングの期間の間に少なくとも優先度フローまたは遅延敏感フローを送信することを含んでもよい。ソフトブランキングは、送信ブランキングの期間の間送信電力を低下させることを含んでもよい。調整されたソフト送信ブランキングは、調整されたソフト送信ブランキングの期間全体よりも短い調整されたソフト送信ブランキングの一部の間に送信を行うことを含んでもよい。
【０１３５】
方法１０００−ａのいくつかの実施形態は、第１のキャリア帯域幅にわたる送信ブランキングの間に第２のキャリア帯域幅にわたる送信電力を増大させることをさらに含んでもよい。いくつかの実施形態では、電力の増大と送信ブランキングは互いに独立に適用される。いくつかの実施形態では、電力の増大と送信ブランキングは一緒に適用される。いくつかの実施形態では、電力の増大と送信ブランキングはコロケートされたシステムにおいてアクティブ化される。いくつかの実施形態では、電力の増大と送信ブランキングはコロケートされたシステムの負荷に基づいてコロケートされたシステムにおいてアクティブ化される。第１のキャリア帯域幅にわたる調整された送信ブランキングは、スロットレベルで行われてもよい。いくつかの実施形態は、第２のキャリア帯域幅にわたる電力の増大を利用して少なくとも制御チャネルまたはデータチャネルの少なくともデータレートを高くすることを含む。いくつかの実施形態は、第１のキャリア帯域幅にわたる調整された送信ブランキングとは異なる期間の間に第１のキャリア帯域幅にわたる送信電力を増大させることを含む。第２のキャリア帯域幅にわたる同時送信を調整することは、第１のキャリア帯域幅が送信を行わない１つまたは複数のスロットの間に行われてもよい。いくつかの実施形態では、少なくとも、第１のキャリア帯域幅にわたる同時送信の間に第２のキャリア帯域幅にわたる順方向リンク上の送信ブランキングを調整することまたは第２のキャリア帯域幅にわたる順方向リンク上の調整された送信ブランキングの間に第１のキャリア帯域幅にわたる送信電力を増大させることは、第２のキャリア帯域幅または時刻に対する第１のキャリア帯域幅の相対的な負荷に少なくとも依存する。
【０１３６】
方法１０００−ａのいくつかの実施形態は、少なくとも、第１のキャリア帯域幅にわたる同時送信の間に第２のキャリア帯域幅にわたる順方向リンク上の送信ブランキングを調整すること、または第２のキャリア帯域幅にわたる送信ブランキングの間に第１のキャリア帯域幅にわたる送信電力を増大させることをさらに含んでもよい。少なくとも、第１のキャリア帯域幅にわたる同時送信の間に第２のキャリア帯域幅にわたる順方向リンク上の送信ブランキングを調整すること、第２のキャリア帯域幅にわたる送信ブランキングの間に第１のキャリア帯域幅にわたる送信電力を増大させること、第１のキャリア帯域幅にわたる同時送信の間に第２のキャリア帯域幅にわたる順方向リンク上の送信ブランキングを調整すること、または第２のキャリア帯域幅にわたる送信ブランキングの間に第１のキャリア帯域幅にわたる送信電力を増大させることは、少なくとも時刻または順方向リンクのうちの少なくとも１つの負荷に基づいて変更されてもよい。
【０１３７】
いくつかの実施形態は、ワイヤレス通信システムの第１のキャリア帯域幅と少なくとも部分的にオーバーラップする第２のキャリア帯域幅とは異なる第３のキャリア帯域幅を識別することをさらに含んでもよい。第１のキャリア帯域幅にわたる順方向リンク上の送信ブランキングが、第３のキャリア帯域幅にわたる同時送信に対して調整されてもよい。第３のキャリア帯域幅またはそれよりも多くのキャリア帯域幅をこのように使用することをマルチキャリア実施形態と呼ぶことがある。これらのマルチキャリア実施形態はコロケートされてもまたは異なるロケーションに配置されてもよい。たとえば、コロケートされる場合、ブランキングは、すぐ近くのモバイルデバイスには利用されなくてもよく、一方、より遠くのモバイルデバイスには行われてもよい。近くのモバイルデバイスと遠くのモバイルデバイスの両方にサービスが必要である場合、近くのモバイルデバイスは、より低いレベルの信号を取り出してより遠くのモバイルデバイスに対する干渉を低減させることができるので、より小さいキャリア帯域幅上に配置されブランキングされてもよい。
【０１３８】
第１のキャリア帯域幅にわたる送信ブランキングと第２のキャリア帯域幅にわたる同時送信は、場合によってはコロケートされなくてもよい。送信ブランキングは、事前スケジューリングされた時間に行われてもよい。いくつかの実施形態は、送信ブランキングを特定の時間に調整するための要求を第２のキャリア帯域幅から受信することをさらに含んでもよい。いくつかの実施形態では、第１のキャリア帯域幅システムは、第２のキャリア帯域幅からの要求を受け入れることに合意してもよく、場合によっては、第１のキャリア帯域幅は肯定応答メッセージまたは合意メッセージを送ってもよい。
【０１３９】
方法１０００−ａは、いくつかの実施形態では基地局によって実装されてもよい。いくつかの実施形態では、そのワイヤレス通信システムは時分割多重化システムを含む。
【０１４０】
図１０Ｂを参照すると、様々な実施形態による、ワイヤレス通信システム内の干渉を低減させるための方法１０００−ｂのフローチャート。方法１０００−ｂは、限定はしないが、図１、図２、図３、図７、図８、および／または図９に見られるようなモバイルデバイス１１５、図１、図２、図３、図８、および／または図９に見られるような基地局１０５、図１および／または図８に見られるようなコアネットワーク１３０またはコントローラ１２０、ならびに／あるいは図６のデバイス６００を含む様々なワイヤレス通信デバイスを利用して実装されてもよい。方法１０００−ｂは、図１０Ａの方法１０００−ａの一例であってもよい。
【０１４１】
ブロック１００５−ａにおいて、ワイヤレス通信システムの通常キャリア帯域幅とフレキシブルキャリア帯域幅が識別されてもよい。通常キャリア帯域幅はフレキシブルキャリア帯域幅と部分的にオーバーラップしてもよい。ブロック１０１０−ａにおいて、フレキシブルキャリア帯域幅にわたる同時送信の間通常キャリア帯域幅にわたる順方向リンク上の送信ブランキングが調整されてもよい。ブロック１０１５において、通常キャリア帯域幅にわたる調整された送信ブランキングの間同時送信のためのフレキシブルキャリア帯域幅にわたる送信電力を増大させてもよい。ブロック１０２０において、調整された送信ブランキングまたは増大させた送信電力が、時刻または順方向リンクの負荷に基づいて変更されてもよい。
【０１４２】
図１０Ｃを参照すると、様々な実施形態による、ワイヤレス通信システム内の干渉を低減させるための方法１０００−ｃのフローチャート。方法１０００−ｃは、限定はしないが、図１、図２、図３、図７、図８、および／または図９に見られるようなモバイルデバイス１１５、図１、図２、図３、図８、または図９に見られるような基地局１０５、図１および／または図８に見られるようなコアネットワーク１３０またはコントローラ１２０、ならびに／あるいは図６のデバイス６００を含む様々なワイヤレス通信デバイスを利用して実装されてもよい。方法１０００−ｃは、図１０Ａの方法１０００−ａおよび／または図１０Ｂの方法１０００−ｂの一例であってもよい。
【０１４３】
ブロック１００５−ｂにおいて、ワイヤレス通信システムの通常キャリア帯域幅とフレキシブルキャリア帯域幅が識別されてもよい。通常キャリア帯域幅はフレキシブルキャリア帯域幅と少なくとも部分的にオーバーラップしてもよい。ブロック１０１０−ｂにおいて、通常キャリア帯域幅にわたる同時送信の間フレキシブルキャリア帯域幅にわたる順方向リンク上の送信ブランキングが調整されてもよい。いくつかの実施形態では、ブロック１０１５に示すように、フレキシブルキャリア帯域幅にわたる調整された送信ブランキングの間、同時送信のための通常キャリア帯域幅にわたる送信電力を増大させてもよい。
【０１４４】
図１１Ａを参照すると、様々な実施形態による、ワイヤレス通信システム内の干渉を低減させるための方法１１００−ａのフローチャート。方法１１００−ａは、限定はしないが、図１、図２、図３、図７、図８、および／または図９に見られるようなモバイルデバイス１１５、図１、図２、図３、図８、および／または図９に見られるような基地局１０５、図１および／または図８に見られるようなコアネットワーク１３０またはコントローラ１２０、ならびに／あるいは図６のデバイス６００を含む様々なワイヤレス通信デバイスを利用して実装されてもよい。
【０１４５】
ブロック１１０５において、ワイヤレス通信システムの第１のキャリア帯域幅と第２のキャリア帯域幅が識別されてもよい。第１のキャリア帯域幅は第２のキャリア帯域幅と少なくとも部分的にオーバーラップしてもよい。ブロック１１１０において、第１のキャリア帯域幅にわたって順方向リンクのために送信電力を増大させることが、第２のキャリア帯域幅に対して調整されてもよい。いくつかの実施形態は、第１のキャリアにわたる同時送信の間に第２のキャリア帯域幅にわたる送信ブランキングを調整することをさらに含んでもよい。第１のキャリア帯域幅にわたる同時送信は、送信電力を増大させる間に行われてもよい。場合によっては、少なくとも時刻または順方向リンクの負荷が判定されてもよく、第２のキャリア帯域幅に対して、第１のキャリア帯域幅にわたって順方向リンクのために送信電力を増大させることは、少なくとも、判定された時刻または順方向リンクの判定された負荷に基づいて変更されてもよい。
【０１４６】
いくつかの実施形態では、第１のキャリア帯域幅はフレキシブル帯域幅であり、第２のキャリア帯域幅は通常帯域幅である。いくつかの実施形態では、第１のキャリア帯域幅は第１のフレキシブル帯域幅であり、第２のキャリア帯域幅は第２のフレキシブル帯域幅である。いくつかの実施形態では、第１のキャリア帯域幅は通常帯域幅であり、第２のキャリア帯域幅はフレキシブル帯域幅である。いくつかの実施形態では、第１のキャリア帯域幅は第１の通常帯域幅であり、第２のキャリア帯域幅は第２の通常帯域幅である。
【０１４７】
方法１１００−ａのいくつかの実施形態は、第１のキャリア帯域幅にわたる同時送信の間に第２のキャリア帯域幅にわたる送信ブランキングを調整することをさらに含んでもよい。いくつかの実施形態は、第１のキャリア帯域幅にわたる同時送信の間に第２のキャリア帯域幅にわたる送信ブランキングを調整することをさらに含んでもよい。
【０１４８】
第１のキャリア帯域幅および第２のキャリアにわたる送信電力を増大させることは、場合によってはコロケートされなくてもよい。いくつかの実施形態では、送信電力の増大は事前スケジューリングされた時間に行われてもよい。いくつかの実施形態は、送信電力を増大させることを特定の時間に調整するための要求を受信することをさらに含んでもよい。
【０１４９】
いくつかの実施形態は、ワイヤレス通信システムの第３のキャリア帯域幅および第２のキャリア帯域幅を識別することであって、第２のキャリア帯域幅が第３のキャリア帯域幅と少なくとも部分的にオーバーラップすることを含んでもよい。第３のキャリア帯域幅にわたって順方向リンクのために送信電力を増大させることが、第２のキャリア帯域幅に対して調整されてもよい。
【０１５０】
方法１１００−ａは、いくつかの実施形態では基地局によって実施されてもよい。
【０１５１】
図１１Ｂを参照すると、様々な実施形態による、ワイヤレス通信システム内の干渉を低減させるための方法１１００−ｂのフローチャート。方法１１００−ｂは、限定はしないが、図１、図２、図３、図７、図８、および／または図９に見られるようなモバイルデバイス１１５、図１、図２、図３、図８、および／または図９に見られるような基地局１０５、図１および／または図８に見られるようなコアネットワーク１３０またはコントローラ１２０、ならびに／あるいは図６のデバイス６００を含む様々なワイヤレス通信デバイスを利用して実装されてもよい。方法１１００−ｂは、図１１Ａの方法１１００−ａの一例であってもよい。
【０１５２】
ブロック１１０５−ａにおいて、ワイヤレス通信システムのフレキシブルキャリア帯域幅と通常キャリア帯域幅が識別されてもよい。フレキシブルキャリア帯域幅は通常キャリア帯域幅と少なくとも部分的にオーバーラップしてもよい。ブロック１１１５において、送信電力を増大させることを特定の時間に調整するための要求を受信してもよい。ブロック１１１０−ａにおいて、フレキシブルキャリア帯域幅にわたって順方向リンクのために送信電力を増大させることが、通常のキャリア帯域幅に対して調整されてもよい。
【０１５３】
図１１Ｃを参照すると、様々な実施形態による、ワイヤレス通信システム内の干渉を低減させるための方法１１００−ｃのフローチャート。方法１１００−ｃは、限定はしないが、図１、図２、図３、図７、図８、および／または図９に見られるようなモバイルデバイス１１５、図１、図２、図３、図８、および／または図９に見られるような基地局１０５、図１および／または図８に見られるようなコアネットワーク１３０またはコントローラ１２０、ならびに／あるいは図６のデバイス６００を含む様々なワイヤレス通信デバイスを利用して実装されてもよい。方法１１００−ｃは、図１１Ａの方法１１００−ａおよび／または図１１Ｂの方法１１００−ｂの一例であってもよい。
【０１５４】
ブロック１１０５−ｂにおいて、ワイヤレス通信システムのフレキシブルキャリア帯域幅と通常キャリア帯域幅が識別されてもよい。フレキシブルキャリア帯域幅は通常キャリア帯域幅と少なくとも部分的にオーバーラップしてもよい。いくつかの実施形態では、ブロック１１１５−ａに見られるように、送信電力を増大させることを特定の時間に調整するための要求が受信されてもよい。ブロック１１１０−ｂにおいて、通常キャリア帯域幅にわたって順方向リンクのために送信電力を増大させることが、フレキシブルキャリア帯域幅に対して調整されてもよい。
【０１５５】
添付の図面に関して上に記載された詳細な説明は、例示的な実施形態について説明しており、実装され得るまたは特許請求の範囲内に入る実施形態のみを表すものではない。この説明全体にわたって使用される「例示的」という用語は、「例、事例、または例示の働きをすること」を意味し、「好ましい」または「他の実施形態よりも有利な」を意味しない。詳細な説明は、説明される技法の理解を与えるために、具体的な詳細を含む。ただし、これらの技法は、これらの具体的な詳細なしに実施され得る。場合によっては、説明した実施形態の概念を不明瞭にしないように、よく知られている構造およびデバイスがブロック図の形態で示される。
【０１５６】
情報および信号は、様々な異なる技術および技法のうちのいずれかを使用して表すことができる。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１５７】
本明細書の開示に関連して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェア構成要素、または本明細書で説明された機能を実行するように設計されたそれらの任意の組合せによって、実装または実行され得る。汎用プロセッサはマイクロプロセッサとすることができるが、代替として、プロセッサは任意の従来のプロセッサ、コントローラ、マイクロコントローラ、または状態機械とすることができる。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１５８】
本明細書で説明する機能は、ハードウェア、プロセッサによって実行されるソフトウェア、ファームウェア、または任意のそれらの組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣ、またはＡＢまたはＡＣまたはＢＣまたはＡＢＣ（すなわち、ＡおよびＢおよびＣ）を意味するような選言的列挙を示す。
【０１５９】
コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用コンピュータまたは専用コンピュータによってアクセスできる任意の利用可能な媒体とすることができる。限定ではなく例として、コンピュータ可読媒体は、ＲＡＭ、ＲＯＭ、ＥＥＰＲＯＭ（登録商標）、ＣＤ−ＲＯＭ、あるいは他の光ディスクストレージ、磁気ディスクストレージまたは他の磁気ストレージデバイス、あるいは命令またはデータ構造の形態の所望のプログラムコード手段を搬送または記憶するために使用でき、汎用または専用コンピュータあるいは汎用または専用プロセッサによってアクセスできる、任意の他の媒体を備え得る。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（ｄｉｓｋ）およびディスク（ｄｉｓｃ）は、コンパクトディスク（ｄｉｓｃ）（ＣＤ）、レーザディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）およびブルーレイ（登録商標）ディスク（ｄｉｓｃ）を含み、ディスク（ｄｉｓｋ）は、通常、データを磁気的に再生し、ディスク（ｄｉｓｃ）は、データをレーザで光学的に再生する。上記の組合せもコンピュータ可読媒体の範囲内に含まれる。
【０１６０】
本開示の前述の説明は、当業者が本開示を作成または使用することができるように提供されたものである。本開示への様々な修正は当業者には容易に明らかであり、本明細書で定義した一般原理は、本開示の趣旨または範囲から逸脱することなく他の変形形態に適用できる。本開示全体にわたって、「例」または「例示的」という用語は、一例または一事例を示すものであり、言及した例についての選好を暗示せず、または必要としない。したがって、本開示は、本明細書で説明する例および設計に限定されるべきでなく、本明細書で開示する原理および新規の特徴に合致する最も広い範囲を与えられるべきである。
【図１】
2014533064.tif 000005
【図２Ａ】
2014533064.tif 000006
【図２Ｂ】
2014533064.tif 000007
【図２Ｃ】
2014533064.tif 000008
【図２Ｄ】
2014533064.tif 000009
【図２Ｅ】
2014533064.tif 000010
【図２Ｆ】
2014533064.tif 000011
【図３】
2014533064.tif 000012
【図４】
2014533064.tif 000013
【図５】
2014533064.tif 000014
【図６】
2014533064.tif 000015
【図７】
2014533064.tif 000016
【図８】
2014533064.tif 000017
【図９】
2014533064.tif 000018
【図１０Ａ】
2014533064.tif 000019
【図１０Ｂ】
2014533064.tif 000020
【図１０Ｃ】
2014533064.tif 000021
【図１１Ａ】
2014533064.tif 000022
【図１１Ｂ】
2014533064.tif 000023
【図１１Ｃ】
2014533064.tif 000024
【国際調査報告】
2014533064.tif 000025
2014533064.tif 000026
2014533064.tif 000027
2014533064.tif 000028
2014533064.tif 000029